(57)【特許請求の範囲】
【請求項１】
中継装置と接続するための設定情報を含むチケット情報を含む電子チケットを記憶した通信装置と、
上記通信装置の施設への入退場を確認する電子チケット確認装置と、
上記通信装置に対して、該通信装置が有する機能のうち少なくとも一部の機能を制御させる指示情報であって、上記設定情報に従って該通信装置が接続している中継装置に応じた指示情報を、該中継装置を介して送信する機能制御装置と、
上記機能制御装置によって指示情報が送信された期間に上記電子チケット確認装置によって施設への入場の確認がとれている通信装置を、該通信装置が有する機能の制御に伴い生じる不利益の代償として提供する特典の提供先として特定する管理装置とを備えることを特徴とする機能管理システム。
【請求項２】
中継装置と接続するための設定情報を含むチケット情報を含む電子チケットを記憶した通信装置と、
上記通信装置の施設への入退場を確認する電子チケット確認装置と、
上記通信装置に対して、該通信装置が有する機能のうち少なくとも一部の機能を制御させる指示情報であって、上記設定情報に従って該通信装置が接続している中継装置に応じた指示情報を、該中継装置を介して送信する機能制御装置と、
上記機能制御装置によって指示情報が送信された期間に上記電子チケット確認装置によって施設への入場の確認がとれている通信装置を、該通信装置が有する機能の制御に伴い生じる不利益の代償として提供する特典の提供先として特定するとともに、該通信装置に対して上記特典を提供する管理装置とを備えることを特徴とする機能管理システム。
【請求項３】
上記通信装置の電源供給の停止状態を監視し、この監視結果を示す電源状態情報を上記管理装置に通知する電源状態監視装置をさらに備え、
上記管理装置が、上記電源状態情報に基づき、特典の提供先として管理する通信装置を決定することを特徴とする請求項１または２に記載の機能管理システム。
【請求項４】
上記管理装置は、上記通信装置が有する機能が制御されている期間に応じて特典を決定することを特徴とする請求項１〜３のいずれか１項に記載の機能管理システム。
【請求項５】
上記管理装置は、上記通信装置が有する機能が制御されている期間において生じた事象の補填として、特典を決定することを特徴とする請求項１〜３のいずれか１項に記載の機能管理システム。
【請求項６】
上記特典が、上記通信装置が有する機能のうち少なくとも一部が制御されている期間において生じる事象に対する補填であることを特徴とする請求項１〜３のいずれか１項に記載の機能管理システム。
【請求項７】
上記特典が、上記通信装置が有する機能のうち少なくとも一部が制御されることに対する、金銭による補填であることを特徴とする請求項１〜３に記載の機能管理システム。
【請求項８】
上記特典が、上記通信装置が有する機能のうち少なくとも一部が制御されることに対して提供されるコンテンツであることを特徴とする請求項１〜３に記載の機能管理システム。
【発明の詳細な説明】
【技術分野】
【０００１】
本発明は、携帯電話などの多機能な通信装置が有する機能を制御し、制御された通信装置に対して特典を提供する機能管理システムに関するものである。
【背景技術】
【０００２】
現在、FeliCa（登録商標）搭載の携帯電話機等のように、非接触ＩＣを搭載した携帯通信装置が発表されている。そして、このような非接触ＩＣを搭載した携帯通信装置を用いた機能管理システムとして、電車の切符を電子チケットとし、自動券売機または公衆回線網を通じて携帯電話機に搭載された非接触ＩＣに書き込み、その非接触ＩＣと自動改札機とのデータ通信によって電子チケットを確認し、自動改札機のゲートを開くようにしたものが提案されている（特許文献１；特開２００２−９２６７１号公報（公開日：平成１４（２００２）年３月２９日））。
【０００３】
また、非接触ＩＣを搭載した携帯通信装置を用いたゲートシステムとして、ゲートを通過したことを携帯通信装置が認識したときに、公衆回線網との接続を行うための無線部への電力供給を停止し、電車内や病院内等のように他人に迷惑がかかるような場所において、電話機能やメール機能を停止させるようにしたものが提案されている（特許文献２；特開平１０−１９１４５４号公報（公開日：平成１０（１９９８）年７月２１日））。
【０００４】
近年、携帯電話機の電波による医療機器への影響や、周囲の人に対する騒音が問題となっており、さらにカメラ付き携帯電話機による映画館やコンサート会場での盗撮や盗聴なども問題となっている。
【０００５】
上述したゲートシステム（特許文献２）によれば、管理者側で電話機能やメール機能を停止させることができるため、携帯電話機の電波による医療機器への影響、周囲の人に対する騒音問題を解決することができる。しかしながら、このような制限を受けることによって携帯電話機のユーザは、自身の携帯電話機が有する機能が強制的に制限されてしまうため、例えば以下のような不利益を被ることとなる。
【０００６】
すなわち、このユーザは、通話機能が制限されている間に他の人からかかってきた電話に関しては、留守番電話サービスに問合せる必要があり、余分なコストの負担を強いられることとなる。このため、ユーザは、機能の制限がかかる機種の携帯電話機を購入せず、上述したような機能制限のシステムを構築しても実際には活用されないこととなる。
【０００７】
ところで、機能制限を必要とされる場所では、一部の携帯電話機のみが機能制限されるのではなく、この場所にある携帯電話機が一斉に機能制限される必要がある。
【０００８】
このため、上記したようなゲートシステムによって機能が制限される携帯電話機の購入を携帯電話機の購入者に広く普及させる、あるいは上述したゲートシステムのような携帯電話機が有する機能を制限するシステムに対応していない機種の携帯電話機であっても、機能制限が求められる場所では携帯電話機のユーザが自主的に自身が有する携帯電話機の機能を使用しないように制限するようなシステムが構築されることが好ましい。
【発明の開示】
【０００９】
本発明は、上記の問題点に鑑みてなされたものであり、その目的は、通信装置が有する機能の制限が求められる場所において、通信装置が有する機能を確実に制限した通信装置に対して、該通信装置のユーザが被る不利益の代わりに特典を提供できる機能管理システムを実現することにある。
【００１０】
上記の目的を達成するために、本発明に係る機能管理システムは、通信装置と、上記通信装置が有する機能のうち少なくとも一部の機能を制御させる機能制御装置と、上記機能制御装置によって制御された通信装置を特典の提供先として管理する管理装置とを備える。
【００１１】
上記構成によると、本発明に係る機能管理システムは、機能制限装置を備えているため、通信装置が有する機能のうち少なくとも一部を制御することができる。このため、上記機能管理システムは、通信装置が有する機能に起因して生じる周囲への悪影響を防ぐことができる。また、上記機能管理システムは、上記管理装置を備えているため、機能が制御された通信装置に対して特典を提供することができる。
【００１２】
したがって、上記機能管理システムでは通信装置が有する機能が制御される代わりに、特典を与えることができるため、通信装置の所有者は、該通信装置が有する機能が制限されることによって被る不利益に対する代償を得ることができる。このため、本発明に係る機能管理システムは、通信装置の機能のうち少なくとも一部が制御されることに対するユーザの抵抗感を抑えることができるという効果を奏する。
【００１３】
なお、上記特典とは、機能制限装置が備えられている場所への入場が有料である場合は、この入場料金を減額する、または上記場所が保持する独自の情報の提供を受ける、または上記通信装置の使用料金の一部が減額される等、上記機能制限装置によって通信装置が有する機能のうち少なくとも一部が制御されることによって被った不利益の代償となる程度の価値を有する恩典が得られるものである。
【００１４】
また、本発明に係る機能管理システムは、上記の目的を達成するために、通信装置と、上記通信装置の電源供給を停止させるように制御する機能制御装置と、上記機能制御装置によって制御された通信装置を特典の提供先として管理する管理装置と、上記通信装置の電源供給の停止状態を監視し、この監視結果を示す電源状態情報を上記管理装置に通知する電源状態監視装置とを備え、上記管理装置が、上記電源状態情報に基づき、特典の提供先として管理する通信装置を決定する。
【００１５】
本発明に係る機能管理システムは、機能制御装置を備えているため、通信装置は該機能制御装置によって自装置の電源供給を停止させることができる。このため、上記機能管理システムは、通信装置が有する機能に起因して生じる周囲への悪影響を防ぐことができる。また、上記機能管理システムは、上記電源状態監視装置を備えているため、上記通信装置が電源供給の停止を確実に行っているか確認することができる。
【００１６】
また、上記管理装置を備えているため、当該通信装置において、電源の供給を確実に停止した通信装置に対して特典を提供することができる。
【００１７】
したがって、本発明に係る機能管理システムは、当該通信装置において、電源の供給を確実に停止した通信装置に対して特典を提供することができるため、通信装置の所有者は、該通信装置において電源の供給を停止させることによって被る不利益に対する代償を得ることができる。このため、本発明に係る機能管理システムは、当該通信装置において電源の供給を停止させることに対するユーザの抵抗感を抑えることができるという効果を奏する。
【００１８】
また、本発明に係る管理装置は、上記の目的を達成するために、通信装置の有する機能のうち少なくとも一部を制御する機能制御装置が備えられた場所に、該通信装置が入場したことを示す入場情報を取得する情報取得手段と、上記情報取得手段によって取得された入場情報に基づき、特典の提供先としての通信装置を決定する決定手段とを備えている。
【００１９】
上記構成によると、本発明に係る管理装置は、情報取得手段を備えているため、上記機能制御装置が備えられている場所への通信装置の入場を確認することができる。すなわち、上記管理装置は、当該通信装置が有する機能のうち少なくとも一部の機能が制御される通信装置を確認することができる。
【００２０】
したがって、管理装置は、決定手段によって、当該通信装置が有する機能のうち少なくとも一部の機能が制御された通信装置を特典の提供先として決定し管理しておくことができる。
【００２１】
また、本発明に係る電源状態監視装置は、上記の目的を達成するために、当該通信装置において電源が供給されている場合、自装置の位置を示すための信号を発信する通信装置から、上記信号を受信する信号受信手段と、上記通信装置に対して、当該通信装置における電源供給の停止が求められている通信装置から上記信号の受信があったか否かを判定する受信判定手段とを備えている。
【００２２】
上記構成によると、信号受信手段を備えているため、通信装置において電源が供給されている場合、当該通信装置から上記信号を受信することができる。また、受信判定手段を備えているため、本発明に係る電源状態監視装置は、通信装置において電源が供給されているか否かを判定することができる。
【００２３】
したがって、上記電源状態監視装置は、当該通信装置において電源供給の停止が求められている通信装置が実際に該電源供給の停止を行っているか否かを監視することができるという効果を奏する。
【００２４】
また、本発明に係る管理装置の制御方法は、上記の目的を達成するために、通信装置の有する機能のうち少なくとも一部を制御する機能制御装置が備えられた場所に、該通信装置が入場したことを示す入場情報を取得するステップと、上記入場情報を取得するステップによって取得された入場情報に基づき、特典の提供先としての通信装置を決定するステップとを含む。
【００２５】
本発明に係る管理装置の制御方法は、入場情報を取得するステップを含んでいるため、上記機能制御装置が備えられている場所への通信装置の入場を確認することができる。すなわち、上記管理装置は、当該通信装置が有する機能のうち少なくとも一部の機能が制御される通信装置を確認することができる。
【００２６】
したがって、管理装置は、特典の提供先としての通信装置を決定するステップによって、当該通信装置が有する機能のうち少なくとも一部の機能が制御された通信装置を特典の提供先として決定し管理しておくことができる。
【００２７】
また、本発明に係る電源状態監視装置の制御方法は、上記の目的を達成するために、当該通信装置において電源が供給されている場合、自装置の位置を示すための信号を発信する通信装置から、上記信号を受信するステップと、上記通信装置に対して、当該通信装置における電源供給の停止が求められている通信装置から上記信号の受信があったか否かを判定するステップとを含む。
【００２８】
本発明に係る電源状態監視装置の制御方法は、上記方法によると、信号を受信するステップを含んでいるため、通信装置において電源が供給されている場合、当該通信装置から上記信号を受信することができる。また、上記通信装置から上記信号の受信があったか否かを判定するステップを含んでいるため、本発明に係る電源状態監視装置の制御方法は、通信装置において電源が供給されているか否かを判定することができる。
【００２９】
したがって、上記電源状態監視装置の制御方法は、当該通信装置において電源供給の停止が求められている通信装置が実際に該電源供給の停止を行っているか否かを監視することができる。
【発明を実施するための最良の形態】
【００３０】
本発明の一実施の形態について図１から図１９に基づいて説明すれば、以下のとおりである。図１は、本発明の一実施の形態である機能管理システム５００の構成を示す説明図である。
【００３１】
図１に示すように、機能管理システム５００は、携帯通信装置（通信装置）６００、電子チケット発行装置１００、映画館３００、キャリア２００、通信ネットワーク４００を備えて構成されている。
【００３２】
上記携帯通信装置６００は、通常、キャリア２００が運営する基地局（電源状態監視装置）２０１を介して他の通信装置と通話、メールの送受信、ＷＥＢサイトへのアクセス等を行うことができる。この携帯通信装置６００は、キャリア２００が運営する基地局２０１を介して、電子チケット発行装置１００と通信可能となっており、該電子チケット発行装置１００から映画の電子チケットを購入することができる。
【００３３】
なお、携帯通信装置６００としては、例えば、携帯電話機、カメラ付き携帯電話機、ボイスレコーダ付き携帯電話機などが利用できる。
【００３４】
上記電子チケット発行装置１００は、通信ネットワーク４００を通じて携帯通信装置６００に電子チケット情報９１を含む電子チケットを送信して発行するものである。この電子チケットには、例えば上演される映画などのチケット情報を示す電子チケット情報９１に加えて、該映画が上演される映画館３００において利用可能な無線ＬＡＮ設定情報９２が含まれている。この無線ＬＡＮ設定情報９２とは、上映会場３０４に設けられている、無線ＬＡＮアクセスポイント（中継装置）３０５（以下ＡＰ３０５と称する）と接続を確立するための、例えば、ＳＳＩＤ（Service Set ID））、ＷＥＰ(Wired Equivalent Privacy)キー、ＡＰ３０５のＭＡＣ（Media Access Control）アドレスなど）に関する情報が含まれる。すなわち、映画館３００では、携帯通信装置６００は、ＡＰ３０５を介して他の通信装置との通信またはＷＥＢサイト等へのアクセスを行うことができるようになっている。
【００３５】
また、上記電子チケット発行装置１００は、電子チケットを発行した際に電子チケット発行情報１０１として携帯通信装置６００を特定する情報（通信装置識別情報９３）を記憶するように構成されている。そして、電子チケット発行装置１００は、この記憶した情報を、該携帯通信装置６００に発行した電子チケット情報９１と関連づけて記憶する。なお、携帯通信装置６００が電子チケットを購入する際、電子チケット発行装置１００は、上記通信装置識別情報９３として、例えば携帯通信装置６００の電話番号、メールアドレス、機器ＩＤ、携帯通信装置６００が含む非接触ＩＣチップに割り当てられたＩＤ（識別番号）、または携帯通信装置６００において登録されているクレジット番号等の情報を該携帯通信装置６００から取得する。なお、本実施の形態に係る機能管理システム５００では、通信装置識別情報９３として少なくとも上記携帯通信装置６００のメールアドレス、クレジット番号が含まれている。
【００３６】
このように、通信装置識別情報９３を、電子チケット情報９１と関連付けて記憶することによって、電子チケットの受信先である携帯通信装置６００を特定することができる。また、予定されていた映画上映が順延になるなど電子チケットの内容に変更が生じた場合、電子チケット発行装置１００は、通信装置識別情報９３に含まれるメールアドレスを用いて、電子チケットを購入した携帯通信装置６００と通信し、電子チケット情報９１を変更することができる。
【００３７】
また、電子チケット発行装置１００が保持するこの電子チケット発行情報１０１に含まれる通信装置識別情報９３は、電子チケット確認装置（入場通知装置・退場通知装置）３０２が携帯通信装置６００の入退場を確認する際にも利用される。
【００３８】
また、上記携帯通信装置６００は、FeliCaなどの非接触ＩＣモジュール１６を備えており、映画館３００に入場または退場する際に、この非接触ＩＣモジュール１６によって電子チケット発行装置１００から購入した電子チケットの確認を行うことができるように構成されている。
【００３９】
さらに、この携帯通信装置６００は、上映会場３０４への入場時に電子チケット確認装置３０２からの指示に応じて、無線ＬＡＮ設定情報９２に基づく設定が行われる。これにより、携帯通信装置６００は、ＡＰ３０５と接続を確立し、機能制限管理サーバ（機能制御装置）３０３と通信可能となる。また、携帯通信装置６００は、上映会場３０４からの退場時に電子チケット確認装置３０２からの指示に応じて、無線ＬＡＮの設定を解除するように構成されている。これにより携帯通信装置６００は、ＡＰ３０５との接続をきり機能制限管理サーバ３０３との通信を確立することができなくなる。
【００４０】
上記映画館３００は、上映会場３０４で映画を上映するものであり、機能制限管理サーバ（機能制御装置）３０３、特典提供管理サーバ（管理装置）３０１、電子チケット確認装置（入場通知装置・退場通知装置）３０２、およびＡＰ３０５を備えている。
【００４１】
ところで、この映画館３００の上映会場３０４では、上記携帯通信装置６００が有する機能のうち少なくとも１つの機能が停止されるように制御されている。すなわち、機能制限管理サーバ３０３は、ＡＰ３０５と接続を確立した携帯通信装置６００に対して、該携帯通信装置６００が備える機能のうち少なくとも１つの機能を停止させるように指示する情報である機能制限情報（指示情報）７０を含むパケットを生成する。そしてこの機能制限情報７０を含むパケットを、ＡＰ３０５を介して上映会場３０４内にある携帯通信装置６００それぞれにブロードキャストで送信する。このようにして、上映会場３０４内では、携帯通信装置６００は、機能制限管理サーバ３０３から受信した機能制限情報７０に基づき、自装置が有する機能のうち少なくとも一部の機能を停止させることができる。
【００４２】
上記電子チケット確認装置３０２は、上映会場３０４の入退場口に設けられており、携帯通信装置６００を所持するユーザの上映会場３０４への入退場を確認するものである。すなわち、電子チケット確認装置３０２は、携帯通信装置６００が保持する電子チケットの電子チケット情報９１を、電子チケット発行装置１００が保持している電子チケット発行情報１０１と照合することによって、上記携帯通信装置６００の入場または退場を確認することができる。
【００４３】
つまり、電子チケット確認装置３０２は、入場または退場する携帯通信装置６００から該携帯通信装置６００を特定する情報とともに、携帯通信装置６００が保持する電子チケット情報９１を取得する。そして、電子チケット確認装置３０２は、携帯通信装置６００から取得した情報に基づき、電子チケット発行装置１００が保持する電子チケット発行情報１０１に、この入場または退場する携帯通信装置６００に対応する電子チケット情報９１が存在するか否かを確認する。このようにして、入場または退場する携帯通信装置６００の電子チケット情報９１の確認を行うと、上記電子チケット確認装置３０２は、入場または退場の確認が取れた携帯通信装置６００の入場または退場時間を特典提供管理サーバ３０１に通知する。
【００４４】
なお、電子チケット確認装置３０２は、例えば入場口と退場口とが別々である場合、携帯通信装置６００の上映会場３０４への入場を確認するためと、該携帯通信装置６００の上映会場３０４からの退場を確認するために、個別にそれぞれ設けられていても良い。
【００４５】
また、電子チケット確認装置３０２は、携帯通信装置６００の上映会場３０４への入場を確認すると、該携帯通信装置６００に対して無線ＬＡＮ設定情報９２に基づく無線ＬＡＮの設定を行うように指示する。また逆に、電子チケット確認装置３０２は、携帯通信装置６００の上映会場３０４からの退場を確認すると、携帯通信装置６００に対して無線ＬＡＮ設定情報９２に基づく無線ＬＡＮの設定を無効とするように指示する。この電子チケット確認装置３０２から携帯通信装置６００に送信される無線ＬＡＮの設定指示または無線ＬＡＮの設定の解除指示は、携帯通信装置６００が有する非接触ＩＣモジュール１６を介して無線で行われる。
【００４６】
なお、本実施の形態に係る機能管理システム５００では、携帯通信装置６００が電子チケット確認装置３０２からの指示に応じて、上記無線ＬＡＮ設定情報９２に基づく設定を行う構成であるが、上記無線ＬＡＮ設定情報９２には予め有効期限が設定されており、この有効期限が経過すると、無線ＬＡＮ設定部８３によって設定された無線ＬＡＮの設定が無効となる構成であってもよい。
【００４７】
また、携帯通信装置６００における無線ＬＡＮ設定情報９２に基づく設定は、該携帯通信装置６００が電子チケット発行装置１００から電子チケットを購入した際に、この電子チケットに含まれる無線ＬＡＮ設定情報９２に基づいて設定されるように構成されていてもよい。
【００４８】
なお、このように電子チケット購入時に無線ＬＡＮ設定情報９２に基づく設定が行われる場合、上映会場３０４において、携帯通信装置６００がＡＰ３０５との接続を確立させることができる無線ＬＡＮの設定を、映画の上映時間帯や上映の日付毎に異なるものとする。
【００４９】
このように時間帯あるいは日付毎に、上記上映会場３０４において、ＡＰ３０５を介して携帯通信装置６００が接続可能となる無線ＬＡＮの設定を異ならせることで、正規の映画鑑賞者(ユーザ)が有する携帯通信装置６００のみが、上映会場３０４に設けられたＡＰ３０５と接続可能とすることができる。
【００５０】
特典提供管理サーバ３０１は、上映会場３０４内で当該携帯通信装置６００が有する機能のうち少なくとも一部を停止した携帯通信装置６００を特典提供データベース３０６に記録して管理するものである。すなわち、上記機能の停止を行った携帯通信装置６００に対してこの機能停止に伴い生じる不利益の代償としての特典を与える携帯通信装置６００を特典提供データベース３０６に記憶して管理する。
【００５１】
つまり、本実施の形態に係る機能管理システム５００では、上映会場３０４に入場した携帯通信装置６００は、一斉に機能制限管理サーバ３０３からＡＰ３０５を介して送信された機能制限情報７０に応じて、自装置が有する機能の少なくとも一部を停止する。このため、機能管理システム５００は、機能が停止された携帯通信装置６００のユーザに対して、この機能停止のために生じる不利益の代償として特典を与えるようになっている。
【００５２】
例えば、上記特典として、特典提供管理サーバ３０１が携帯通信装置６００のユーザにチケット代の一部を返金する場合、通信ネットワーク４００を通じて接続されている決済機関の決済処理サーバ（不図示）に携帯通信装置６００の口座から引き落とされるチケット代の一部を減額させるように通知する。このようにして、映画館３００の運営者が、映画の上映中に機能の制限を受けた携帯通信装置６００のユーザが支払う電子チケット代の一部を減額する。
【００５３】
また、特典提供管理サーバ３０１は、この携帯通信装置６００のユーザに対して、上記特典として、上映された映画の映像の一部や画像を提供することもできる。このように上記映像または画像を携帯通信装置６００に提供する場合、特典提供管理サーバ３０１は、この映像または画像のデータを保持しており、このデータをキャリア２００に送信する。そしてキャリア２００が基地局２０１から、退場の確認がとれた携帯通信装置６００にこのデータを配信する。なお、この映像または画像のデータを携帯通信装置６００がダウンロードするためにかかるパケット代は、キャリア２００から映画館３００の運営者の口座に対して請求される。なお、この特典提供管理サーバ３０１の構成および特典提供データベース３０６の詳細については後述する。
【００５４】
上記キャリア２００は、広域電気通信サービスを提供する電気通信事業者であって、携帯通信装置６００の無線送受信局である基地局２０１を運営している。キャリア２００は、携帯通信装置６００が他の通信装置との通信を所望する場合、基地局２０１を介して他の通信装置への接続を確立させたり、基地局２０１を介して通信ネットワーク４００を通じて他の装置とのメールの送受信を実現したりする。
【００５５】
このように、本実施の形態に係る機能管理システム５００では、携帯通信装置６００が、基地局２０１を介して、通信ネットワーク４００を通じて電子チケット発行装置１００から電子チケットを取得することができる。そして、携帯通信装置６００のユーザが上映会場３０４に入場および退場する際に、電子チケット確認装置３０２は、電子チケット発行装置１００が保持する情報を参照して、携帯通信装置６００の保持する電子チケット情報９１を確認するとともに、該携帯通信装置６００の入場および退場の確認を特典提供管理サーバ３０１に通知することができる。
【００５６】
また、本実施の形態に係る機能管理システム５００では、機能制限管理サーバ３０３が、映画の上映開始時間になると携帯通信装置６００が有する機能のうち、所定の機能を停止させるための機能制限情報７０を携帯通信装置６００に送信し、該携帯通信装置６００に、当該携帯通信装置６００が有する機能を停止させることができる。このため、携帯通信装置６００の呼び鈴の音または通話による騒音等によって映画の上映中に、他の観客が迷惑を被ることを防ぐことができる。したがって、映画館３００を運営する運営者は、静かな環境での映画鑑賞を観客に提供することができ、他の映画館との差別化をはかり売上を向上させることができる。また、上記運営者は、携帯通信装置６００が有するカメラ機能やボイスレコード機能によって無許可に撮影または録音されたりすることを防ぐことができる。
【００５７】
また、本実施の形態に係る機能管理システム５００では、映画の上演が終了し、携帯通信装置６００のユーザが上映会場３０４から退場する際、電子チケット確認装置３０２は、電子チケット発行装置１００が保持する情報を参照して、携帯通信装置６００の保持する電子チケット情報９１を確認する。このようにして、携帯通信装置６００の退場の確認を行うとともに、該携帯通信装置６００の退場を特典提供管理サーバ３０１に通知することができる。
【００５８】
そして、特典提供管理サーバ３０１は、上記電子チケット確認装置３０２からの通知に応じて、退場した携帯通信装置６００のユーザにチケット代の代金の一部を肩代わりしたり、あるいはサービス映像または画像データを提供したりするなど特典を携帯通信装置６００のユーザに提供することができる。
【００５９】
このため、携帯通信装置６００を有するユーザは、当該携帯通信装置６００が有する機能の停止に伴う不利益を被るが、この代償として特典提供管理サーバ３０１から特典という利得を得ることができる。
【００６０】
また、上記したように、特典提供管理サーバ３０１は、電子チケット確認装置３０２によって通知された、携帯通信装置６００が上映会場３０４に入退場したことを示す情報に応じて、特典の提供先である携帯通信装置６００を特定することができる構成である。このため、特典提供管理サーバ３０１は、携帯通信装置６００が上映会場３０４に入場し、退場するまでの期間を知ることができる。したがって、特典提供管理サーバ３０１は、単に上映会場３０４に入場し退場した携帯通信装置６００に対して特典を提供するように管理するのではなく、機能制限管理サーバ３０３から上記機能制限情報７０が送信された期間に上映会場３０４に存在した携帯通信装置６００に対してのみ特典を提供することができるように管理することができる。
【００６１】
なお、携帯通信装置６００が上映会場３０４に入場すると直ぐに当該携帯通信装置６００が有する機能の少なくとも一部が制御されるように構成されている場合は、上記特典提供管理サーバ３０１は、電子チケット確認装置３０２から該携帯通信装置６００が上映会場３０４に入場したことを示す通知に応じてのみ、特典の提供先としての携帯通信装置６００を決定し管理する構成であってもよい。
【００６２】
（携帯通信装置の構成）
ここで、図２を参照して本実施の形態に係る携帯通信装置６００のハードウェア構成について説明する。なお、この図２は、機能管理システム５００を構成する携帯通信装置６００のハードウェア構成を示すブロック図である。
【００６３】
図２に示すように、携帯通信装置６００は、第１アンテナ１、無線部２、通信制御部３、信号処理部４、スピーカ５、マイク６、撮像部７、発光部８、画像処理部９、第１メモリ１０、表示ドライバ１１、表示部（表示手段）１２、第２メモリ１３、操作部１４、第２アンテナ１５、非接触ＩＣモジュール１６、非接触ＩＣ制御部１７、第３アンテナ１８、無線ＬＡＮ制御部１９、主制御部４０を備えて構成されている。
【００６４】
ここで、第１メモリ１０は、バッファ的な役割を果たすものであり、第２メモリ１３は、フラッシュメモリのように恒久的にデータを蓄積する役割を果たすものである。なお、携帯通信装置６００の記憶装置である第１メモリ１０および第２メモリ１３は、携帯通信装置６００の仕様に応じて構成を適宜変更可能であり、例えば、一体として設けてもよい。
【００６５】
そして、このように構成された携帯通信装置６００は、以下のように、通話機能、ボイスレコード機能、メール機能、カメラ機能などを有している。
【００６６】
まず、携帯通信装置６００では、通信制御部３による送受信制御のもとに、無線部２が第１アンテナ１を介して基地局２０１との信号の送受信を行い、信号処理部４が無線部２で送受信される信号に所定の信号処理を施す。これによって、基地局２０１を介して相手側装置から送信されてくる音声をスピーカ５から出力したり、マイク６から入力される音声を、基地局２０１を介して相手側装置に送信したりするようになっている。すなわち、いわゆる通話機能が実現されている。
【００６７】
また、携帯通信装置６００では、信号処理部４によって処理される音声データを、操作部１４からの操作指示に基づいて第２メモリ１３に格納することができる。これによって、通話機能とは関係なく、マイク６から入力される音声を音声データに変換して第２メモリ１３に格納するようになっている。すなわち、いわゆるボイスレコード機能が実現されている。
【００６８】
また、携帯通信装置６００では、信号処理部４において、音声データのみではなく、電子メールまたはＷｅｂページなどのテキストデータ、画像データあるいはＨＴＭＬデータも同様に処理できる。そして、これら処理したデータを第１メモリ１０または第２メモリ１３に格納する。このとき、第１メモリ１０にデータを格納した場合、その格納したデータに基づいて表示ドライバ１１が表示用の駆動信号を生成し、表示部１２が画像や文字等を表示する。これにより、受信メール・受信画像の表示やＷｅｂページの閲覧が可能となっている。また、逆の手順により、メールや画像の送信を行うことが可能となっている。すなわち、このような動作によって、いわゆるメール機能が実現されている。
【００６９】
また、携帯通信装置６００は、ＣＣＤ（charge coupled device）やＣＭＯＳによって構成された撮像部７および補助光源に用いられる発光部８を備え、撮像部７で撮影した画像を画像処理部９によって露出・画質などを調整した後、第１メモリ１０に格納し、上述と同様にして表示部１２に画像をプレビュー表示するようになっている。また、このプレビュー表示の状態で操作部１４を用いた操作指示に基づいて画像を第２メモリ１３に格納するようになっている。すなわち、このような動作によって、いわゆるカメラ機能が実現されている。
【００７０】
さらに、カメラ機能を利用して撮影した画像が、ＱＲ（Quick Response）コード（登録商標）、ＵＲＬ（Uniform Resource Locator）、バーコード、標章、所定文字列などのような、符号化情報を含んでいる場合には、主制御部４０で当該符号化情報を取り出し、当該符号化情報の種類に応じた処理を行う、符号化情報読み取り機能を実現することができる。なお、主制御部４０とは別の符号化情報読み取り部を設け、該符号化情報読み取り部によって符号化情報読み取り機能を実現する構成であってもよい。
【００７１】
また、携帯通信装置６００は、第２メモリ１３に、メールデータ・画像データ・音声データ・ＨＴＭＬデータのほか、電話帳データまたはスケジュール等の各種データを記憶するようになっている。また、操作部１４は、電話番号・文字・記号などの入力や各種機能の選択・起動・停止などの指示をユーザが行うことができるようになっている。
【００７２】
さらに、携帯通信装置６００は、非接触ＩＣモジュール１６を備え、第２アンテナ１５を介して電子チケット確認装置３０２が備える非接触ＩＣ用リーダライタ（不図示）との送受信を行うことが可能となっている。この非接触ＩＣモジュール１６は内部に専用のメモリ（不図示）を含んでおり、非接触ＩＣ制御部１７がこの内部メモリと主制御部４０とのデータの送受信制御を行うようになっている。
【００７３】
また、携帯通信装置６００は、電子チケットを取得した際、その電子チケットに含まれる電子チケット情報９１は、携帯通信装置６００の第２メモリ１３および非接触ＩＣモジュール１６に記憶される。また、これと同時に、電子チケット発行装置１００に通知した通信装置識別情報９３も非接触ＩＣモジュール１６に記憶される。すなわち、携帯通信装置６００は、電子チケットの購入時に、電子チケット発行装置１００に通信装置識別情報９３としてメールアドレスとクレジット番号を通知しているが、この通知される情報を自身でも保持するように構成されている。
【００７４】
ここで、電子チケット情報９１および通信装置識別情報９３を非接触ＩＣモジュール１６に記憶するのは入場等の際に電子チケット確認装置３０２が確認するためであり、電子チケット情報９１を第２メモリ１３に記憶するのは主制御部４０が各種制御を行うためである。そして、携帯通信装置６００では、金銭を取り扱うことから高いセキュリティが要求される。そのため、非接触ＩＣモジュール１６と主制御部４０（携帯通信装置６００のＣＰＵ等）との間のデータ授受には、厳格に制限が設けられている。それゆえ、携帯通信装置６００では、主制御部４０が非接触ＩＣモジュール１６から電子チケット情報９１を取得しなくても、電子チケット情報９１に基づいて柔軟な制御を行えるようにするために、電子チケット情報９１を第２メモリ１３にも記憶させている。なお、主制御部４０と非接触ＩＣモジュール１６との間でのデータ授受に課せられた制限が主制御部４０による各種制御を制限しない場合には、第２メモリ１３への記憶を省略してもよい。
【００７５】
さらに、取得した電子チケットを用いて携帯通信装置６００が電子チケット確認装置３０２の確認を得て入退場を行う方法としては、携帯通信装置６００の非接触ＩＣモジュール１６と電子チケット確認装置３０２に設けられた非接触ＩＣ用リーダライタとを無線で直接接続して確認する。
【００７６】
なお、電子チケット確認装置３０２での電子チケットの確認は、携帯通信装置６００の非接触ＩＣモジュール１６から得られた電子チケット情報９１および通信装置識別情報９３と、通信ネットワーク４００を介して通信可能となっている電子チケット発行装置１００が電子チケット発行情報１０１として管理している情報とを照合することで行われるようになっている。
【００７７】
（携帯通信装置のソフトウェア構成）
つづいて、図３〜図６を参照しながら、携帯通信装置６００における機能制限に関わるソフトウェア構成について説明する。なお、図３は、携帯通信装置６００の主制御部４０の機能制限に関わる詳細を示す機能ブロック図である。また、図４は、電子チケットに含まれる情報の一例を示す図である。図５および図６それぞれは、機能制限管理サーバ３０３から送信される機能制限情報７０のデータの一例を示す説明図である。
【００７８】
機能管理システム５００において、携帯通信装置６００は、特に、電子チケット管理部８１、情報抽出部８２、無線ＬＡＮ設定部８３、機能制限部８４、情報格納部９０、無線部２、無線ＬＡＮ制御部１９を備えて構成されている。なお、電子チケット管理部８１、情報抽出部８２、無線ＬＡＮ設定部８３、機能制限部８４は、ソフトウェアに基づき主制御部４０に実現される機能である。また、情報格納部９０は、電子チケット等の情報を格納するメモリであり、第２メモリ１３または非接触ＩＣモジュール１６の内部メモリに対応する。
【００７９】
電子チケット管理部８１は、電子チケット発行装置１００が発行した電子チケットを無線部２から取得して、情報格納部９０に電子チケット情報９１として格納する。また、電子チケット管理部８１は、電子チケット発行装置１００からの電子チケットの修正指示を無線部２から取得して、情報格納部９０に格納されている電子チケット情報９１を修正する。これにより、例えば、コンサートのプログラムの変更などを修正できる。
【００８０】
また、情報格納部９０には、予め通信装置識別情報９３が記憶されている。
【００８１】
情報抽出部８２は、情報格納部９０に格納されている電子チケット情報９１に含まれる無線ＬＡＮ設定情報９２を抽出する。また、無線ＬＡＮ制御部１９が受信した、機能制限管理サーバ３０３からの機能制限情報パケットから機能制限情報７０を抽出する。
【００８２】
無線ＬＡＮ設定部８３は、情報抽出部８２によって抽出された無線ＬＡＮ設定情報９２に基づいて、無線ＬＡＮ制御部１９の設定を行う。
【００８３】
機能制限部８４は、情報抽出部８２によって抽出された機能制限情報７０に基づいて、携帯通信装置６００の機能のうち少なくとも１つを停止させる。また、機能制限部８４は、停止させた機能を、機能制限管理サーバ３０３から送信された機能制限情報７０に基づいて再開させたり、他の機能を停止させたりするなど各機能の制御を変更することができる。
【００８４】
ここで、図４に示すように、電子チケット情報９１は、ユーザが利用を所望する映画を鑑賞するためのチケット情報と、映画の上映会場３０４に備えられたＡＰ３０５と接続を確立することが可能となる無線ＬＡＮ設定情報９２を含む。チケット情報としては、例えば、上映される映画の名称、劇場名、日時が登録されている。なお、図４は電子チケット情報９１のデータ構造は一例であって、チケット情報と無線ＬＡＮ設定情報９２の格納形式はそれに限定されない。
【００８５】
上記の構成により、携帯通信装置６００は、情報抽出部８２が電子チケット情報９１から抽出した無線ＬＡＮ設定情報９２に基づいて、無線ＬＡＮ設定部８３が無線ＬＡＮの設定を行うことができる。すなわち、上記携帯通信装置６００は、ＡＰ３０５を介して、機能制限管理サーバ３０３から、当該携帯通信装置６００が有する機能のうちどの機能を停止させるかについて指示するための情報である、機能制限情報７０を含むパケットを受信する。
【００８６】
そして、このパケットには、例えば図５および図６に示すような機能制限情報７０が含まれる。そして携帯通信装置６００は、上記パケットを、無線ＬＡＮ制御部１９を介して受信すると、情報抽出部８２が機能制限情報７０を抽出する。そして、情報抽出部８２によって抽出された機能制限情報７０に基づき、機能制限部８４が、携帯通信装置６００が備える機能を停止させたり再開させたりして制御する。
【００８７】
例えば、携帯通信装置６００は、上記したようにＡＰ３０５と無線による接続を確立させた後、機能制限管理サーバ３０３から、例えば図５に示す、カメラ機能、メール機能、電話（通話）機能、インターネットへの接続機能全てを禁止する機能制限情報７０のパケットを受信すると、機能制限部８４がこれら全ての機能を停止するように制御する。
【００８８】
また、例えば図６に示すような、カメラ機能、メール機能、電話（通話機能）、インターネットへの接続機能全てを許可することを示す機能制限情報７０を含むパケットを受信すると、機能制限部８４がこれらすべての機能が実行できるように制御する。
【００８９】
なお、この図５または図６に示す機能制限情報７０は一例であって、携帯通信装置６００が例えばＴＶ局から番組コンテンツの情報を受信できるアンテナを備え、該コンテンツの視聴機能を有している場合は、制限内容の中にＴＶの視聴の可否を示す情報が含まれていてもよい。また、ＤＶＤ等の記録媒体に記録された情報を再生可能にする機能を有している場合は、この記録媒体に記録された情報の再生の可否を示す情報が含まれていてもよい。
【００９０】
また、上記制限内容には、携帯通信装置６００が有するボイスレコード機能の実行の可否を示す情報もふくまれていてもよい。
【００９１】
また、図５または図６に示す機能制限情報７０おける各機能とその機能の制限を示す情報との対応関係は、これらに限定されるものではない。例えば、機能制限情報７０に含まれる制限内容は、カメラ機能以外の機能を許可するものであってもよいし、カメラ機能および電話（通話）機能のみを許可するものであってもよい。
【００９２】
これら、機能制限情報７０における各機能とその機能の制限を示す情報との組み合わせは、ユーザが入場する施設の種類（例えば、映画館、病院、または博物館など）、あるいは、施設で提供するサービスの内容に応じて適切に設定されることが好ましい。
【００９３】
また、上記機能制限管理サーバ３０３から、ＡＰ３０５を介して携帯通信装置６００に上記した機能制限情報７０を含むパケットの送信タイミングは、ユーザが入場した施設で提供されるサービスの内容あるいは、開始または終了等といったサービスの進行状況に応じて決められている。
【００９４】
例えば、無線ＬＡＮ設定情報９２を含む電子チケットを購入し、携帯通信装置６００を所持するユーザが映画館３００の上映会場３０４に入場すると、携帯通信装置６００が、電子チケットに含まれる無線ＬＡＮ設定情報９２に基づき、ＡＰ３０５との無線による接続を確立する。
【００９５】
そこで、機能制限管理サーバ３０３が、映画の上映が開始されるまでの間は、図７に示す機能制限情報７０を含むパケットを、ＡＰ３０５を介して携帯通信装置６００に送信する。これによって、携帯通信装置６００では、映画の上映が開始されるまでの間は、該携帯通信装置６００が有する機能（例えば、カメラ機能、メール機能、電話（通話機能）、インターネットへの接続機能）が実行可能となる。このため、映画の上映が開始されるまで、ユーザは携帯通信装置６００によって、自由に通話、メールの送受信等を行うことができる。
【００９６】
また、映画の上映が開始されるまでの間、特にスクリーンに何も表示されていないとき、機能制限管理サーバ３０３は、上映会場３０４に設けられたＡＰ３０５を通じて、映画鑑賞前に見ておくとよい予備知識等を提供するようなコンテンツのデータを携帯通信装置６００に送信するように構成されていてもよい。この場合、機能制限管理サーバ３０３は、上記コンテンツのデータを記憶する記憶装置を新たに備えてもよいし、機能制限情報管理テーブル７１に上記コンテンツデータを記憶させておいてもよい。
【００９７】
このように、映画館３００では、上映開始前においても特典として携帯通信装置６００のユーザにとって利得となる情報（コンテンツ）を提供することができる。
【００９８】
また、映画の上映前に機能制限管理サーバ３０３から配信されるコンテンツには、映画上映に関係するスポンサーのコマーシャルデータが含まれていても良い。このように、映画館３００においてスポンサーの宣伝を行う代わりに、映画館３００側は、該スポンサーから宣伝料を得ることができる。
【００９９】
また、このコンテンツには、携帯通信装置が有する機能の制限が行われる前に、ユーザに制限が開始されることを予告する予告情報が含まれていても良い。このように、映画の上映前に配信されるコンテンツにおいて、上記予告情報を含めることで映画鑑賞者、すなわち携帯通信装置６００のユーザに対して、当該携帯通信装置６００が有する機能の制限が開始されることを通知することができる。
【０１００】
映画の上映が開始されると、機能制限管理サーバ３０３から携帯通信装置６００に、ＡＰ３０５を介して、図５に示す機能制限情報７０を含むパケットが送信される。これによって、携帯通信装置６００では、該携帯通信装置６００が有する機能（例えば、カメラ機能、メール機能、電話（通話機能）、インターネットへの接続機能）が実行されないように、機能制限部８４が制御をおこなう。このため、映画鑑賞に来たユーザが、携帯通信装置６００が有する機能を利用して、無断で、映画の内容を外部に送信したり、映像の写真を取ったり、通話による会話によって周囲の観客に迷惑をかけたりすることを防ぐことができる。
【０１０１】
また、休憩時間等では、機能制限管理サーバ３０３から携帯通信装置６００に、図７に示す機能制限情報７０を含むパケットが送信される。これによって、携帯通信装置６００では、使用が不可能であった各機能（例えば、カメラ機能、メール機能、電話（通話機能）、インターネットへの接続機能）が休憩時間の間では使用可能となる。
【０１０２】
上記にて例を挙げて説明したように、映画館３００において、ユーザに提供される映画などのサービスの内容に応じて、機能制限管理サーバ３０３が適切に機能制限情報７０を選択して携帯通信装置６００に送信することで、上映会場３０４内での不正な撮影、録音、あるいは通話などの他の観客への迷惑行為を防ぐことができる。
【０１０３】
（機能制限管理サーバの構成）
ここで、図７に基づいて機能制限管理サーバ３０３の概略構成について説明する。図７は、本実施の形態に係る機能制限管理サーバ３０３の概略構成を示すブロック図である。
【０１０４】
図７に示すように、機能制限管理サーバ３０３は、出力制御部６０、入力指示部６１、管理サーバ主制御部６５、計時装置６３、電源ＯＦＦ通知部６６および記憶部（指示情報記憶装置）６４を備え、構成される。そして、記憶部６４は、機能制限情報７０および機能制限情報管理テーブル７１を含んでいる。
【０１０５】
入力指示部６１は、ユーザなど外部からの機能制限情報７０の送信指示を受け付けるものであり、例えばユーザから、機能制限情報７０の送信指示を受信すると、この指示を選択制御部（選択手段）６２に通知する。
【０１０６】
上記管理サーバ主制御部６５は、機能制限管理サーバ３０３における各部の各種制御をおこなうものであり、機能ブロックとして選択制御部６２を備えている。
【０１０７】
この選択制御部６２は、記憶部６４に記憶された機能制限情報７０の中から特定の機能制限情報７０を選択し取得するものであり、選択制御部６２は、取得した機能制限情報７０を出力制御部６０に送信する。なお、選択制御部６２は、この機能制限情報７０の選択を、入力指示部６１から送信された例えばユーザの指示に応じて行ってもよいし、計時装置６３によって提供される時間情報と機能制限情報管理テーブル７１とに基づき、所望される機能制限情報７０を記憶部６４から選択してもよい。
【０１０８】
電源ＯＦＦ通知部６６は、ＡＰ３０５との接続の確立がなされておらず、機能制限管理サーバ３０３から機能の制限に関する指示を受け付けていない携帯通信装置６００のユーザに対して、携帯通信装置６００の主電源をＯＦＦにするように通知するものである。
【０１０９】
なお、ＡＰ３０５との接続の確立がなされておらず、機能制限管理サーバ３０３から機能の制限に関する指示を受け付けていない携帯通信装置６００とは、例えばチケット販売窓口でチケットを購入したユーザが保持する携帯通信装置６００である。
【０１１０】
電源ＯＦＦ通知部６６は、管理サーバ主制御部６５を介して、出力制御部６０を制御し、上映会場３０４内の館内放送またはスクリーン上に流す映像によって携帯通信装置６００の主電源をＯＦＦにするように通知する。
【０１１１】
例えば館内放送により主電源ＯＦＦを通知する場合、機能制限管理サーバ３０３が上映会場３０４に備えられたスピーカに主電源をＯＦＦすることを指示するアナウンスを流すように指示することで実現できる。
【０１１２】
また、スクリーン上に主電源ＯＦＦを指示する映像を写しだす場合、機能制限管理サーバ３０３は映写機３０７に、この通知を示す映像をスクリーン上に映し出すように指示を出す。
【０１１３】
記憶部６４に含まれる機能制限情報管理テーブル７１は、機能制限管理サーバ３０３から携帯通信装置６００に送信される機能制限情報７０と、当該機能制限情報７０を送信するタイミング（期間）との対応関係を示すものである。具体的には、例えば、図８に示すように、機能制限管理サーバ３０３から機能制限情報７０が送信される期間と、この期間において送信される機能制限情報７０についての対応関係が記録される。なお、図８に示す機能制限情報管理テーブル７１のデータ構造は一例であって、機能制限情報７０の送信時間と送信される機能制限情報７０との格納形式はそれに限定されない。
【０１１４】
また、図７に示す選択制御部６２は、ソフトウェアによって実現される機能ブロックであり、不図示のＣＰＵが、不図示のＲＯＭ(Read only memory)などからプログラムを、ＲＡＭ(Random access memory) などに読み出し実行することで実現できる。
【０１１５】
また、出力制御部６０、入力指示部６１、および選択制御部６２はハードウェアによって実現されが、ソフトウェアによって実現されていてもよい。これら各部がソフトウェアによって実現される場合は、同様に不図示のＣＰＵが、不図示のＲＯＭなどからプログラムを、ＲＡＭなどに読み出し実行することで実現できる。
【０１１６】
なお、本実施の形態に係る機能管理システム５００では、機能制限管理サーバ３０３が、上記した機能制限情報７０を、演劇等のプログラムに応じて所定の時間ごとに、劇場等の施設内に備えられたＡＰ３０５ａ〜ＡＰ３０５ｃそれぞれに対して送信するように構成されている。また、上述したように、機能制限管理サーバ３０３は、どの機能制限情報７０のパケットを選択して送信するかについてのユーザからの指示を入力指示部６１が受信し、この受信したユーザからの指示に応じて選択制御部６２が機能制限情報７０を選択できるようになっている。このように、機能制限管理サーバ３０３は、ユーザからの指示に応じて機能制限情報７０を選択しＡＰ３０５を介して携帯通信装置６００に送信することができる構成である。このため、例えば、映画の上映時間が変更になった場合であっても、機能制限管理サーバ３０３は適切な時期に適切な機能制限情報７０を含むパケットを携帯通信装置６００に送信することができる。
【０１１７】
また、映画の音声または映像等を記憶し出力する不図示の映写装置の動きに同期して上記機能制限情報７０のパケットを送信するように構成されていてもよい。この場合は以下のようにして実現できる。すなわち、機能制限管理サーバ３０３は、上記した入力指示部６１によって、上記映写装置からの音声または映像の出力タイミングと同期する信号を受信し、この受信した信号に応じて選択制御部６２が機能制限情報７０を記憶部６４から選択する。そして、出力制御部６０が選択された機能制限情報７０を含むパケットを携帯通信装置６００にＡＰ３０５を介して送信する。なお、この場合、選択される機能制限情報７０は、映像の出力開始時、出力停止時ごとに予め決められている。
【０１１８】
よって、映画館３００の管理者（興行者）は、提供するサービスの内容または進行状況に応じて、携帯通信装置６００が備える機能のうち、停止することが所望される機能を選択して停止させることができる。したがって、携帯通信装置６００が備える機能を、提供するサービスの内容や該サービスの進行状況に応じて管理者側で適切に停止させることができ、携帯通信装置の機能を制限することができる。
【０１１９】
なお、本実施例における映画館３００が、いわゆるシネコンのように、複数の劇場（スクリーン）を有する複合型映画館である場合は、各劇場にＡＰ３０５がそれぞれ設けられる。そして、機能制限管理サーバ３０３が、それぞれの上映時間に応じた時期に、適切な機能制限情報７０をＡＰ３０５ごとに送信するように構成される。
【０１２０】
なお、ＡＰ３０５のうちどのＡＰ３０５を介して、どのような機能制限情報７０を含むパケットを送信するかは、機能制限管理サーバ３０３が所定のＡＰ３０５を選択して行われる。または、機能制限管理サーバ３０３がどのＡＰ３０５に携帯通信装置６００が接続されているかを管理し、携帯通信装置６００に直接パケットを送信するような形にしても良い。
【０１２１】
（特典提供管理サーバのソフトウェア構成）
続いて、図９を参照して、特典提供管理サーバ３０１における、特典提供先としての携帯通信装置６００の管理に関わるソフトウェア構成について説明する。なお、図９は、特典提供管理サーバ３０１の特典提供先としての携帯通信装置６００の管理に関わる詳細を示す機能ブロック図である。
【０１２２】
図９に示すように電子チケット確認装置３０２は、特典提供先情報格納部２０、特典提供管理サーバ制御部２１、および通信Ｉ／Ｆ２２を備えている。
【０１２３】
特典提供先情報格納部２０は、特典提供データベース３０６を記憶するものであり、例えば、ハードディスクまたはフラッシュＥＥＰＲＯＭ（electrically erasable/programmable read only memory）など読み書き可能な記憶媒体によって実現できる。特典提供先情報格納部２０が記憶する特典提供データベース３０６は、通信装置識別情報９３および入退場情報（入場情報・退場情報・電源状態情報）９４を含んでいる。なお、本実施例では、通信装置識別情報９３として携帯通信装置６００のメールアドレスとこの携帯通信装置６００において登録されているクレジット番号を用いている。
【０１２４】
すなわち、特典提供管理サーバ３０１は、携帯通信装置６００に特典として映画の映像の一部または画像を提供できるようにするために、通信装置識別情報９３としてメールアドレスを記憶している。また、特典提供管理サーバ３０１は、携帯通信装置６００に映画のチケット代の減額を行うために上記クレジット番号を記憶する。
【０１２５】
これら、通信装置識別情報９３に含まれる情報の種類は、特典提供管理サーバ３０１が携帯通信装置６００に提供する特典の種類等によって必要となる情報が選択されるため、上記したメールアドレスおよびクレジット番号の組み合わせに限定されるものではない。すなわち、通信装置識別情報９３に含まれる情報は、少なくとも携帯通信装置６００を特定できる情報でありかつ、特典提供管理サーバ３０１が携帯通信装置６００に提供する特典に応じて必要となる情報が含まれていればよい。
【０１２６】
また、入退場情報９４は、電子チケット確認装置３０２から通知された、各携帯通信装置６００の映画館３００の上映会場３０４における入退場を示す情報であり、携帯通信装置６００の入場時間と退場時間の情報が記憶される。
【０１２７】
具体的には、これら通信装置識別情報９３および入退場情報９４は、図１０に示すように特典提供データベース３０６に記憶される。すなわち、図１０に示すように通信装置識別情報９３として各携帯通信装置６００のメールアドレスおよびクレジット番号と、該携帯通信装置６００の映画館３００への入場時間および退場時間との対応関係を示す情報として特典提供データベース３０６が特典提供先情報格納部２０に記憶される。なお、この図１０は、特典提供データベース３０６に含まれる各データの一例を示す図である。なお、図１０に示す特典提供データベース３０６に含まれる各データ構造は一例であって、記憶されるデータの種類、または記録される各携帯通信装置６００の数はこれに限定されるものではない。
【０１２８】
また、特典提供データベース３０６に含まれる情報のうち、通信装置識別情報９３は、予め電子チケット発行装置１００から取得しておくことができるが、入退場情報９４は、携帯通信装置６００の映画館３００への入退場に応じた、電子チケット確認装置３０２からの通知によって記録される。
【０１２９】
通信Ｉ／Ｆ２２は、特典提供管理サーバ３０１と通信ネットワーク４００とのインターフェイスを提供するものである。特典提供管理サーバ３０１は、この通信Ｉ／Ｆ２２を介して、通信ネットワーク４００を通じて、電子チケット確認装置３０２から映画館３００に入退場した携帯通信装置６００を特定する情報と、該携帯通信装置６００の入場時間および退場時間の情報を取得する。また。特典提供管理サーバ３０１は、この通信Ｉ／Ｆを介して、通信ネットワーク４００を通じて、決済機関の決済処理サーバ（不図示）に携帯通信装置６００のクレジット番号を通知して、該携帯通信装置６００の口座から引き落とされるチケット代を減額するように指示する。
【０１３０】
特典提供管理サーバ制御部２１は、特典提供管理サーバ３０１の各種動作を制御するものであり、機能ブロックとして特典提供先判定部３０（決定手段）、特典要求通知部（特典提供指示手段）３１、および特典提供先情報取得部（情報取得手段）３２を備える。
【０１３１】
上記特典提供先情報取得部３２は、電子チケット確認装置３０２から通信装置識別情報９３として該携帯通信装置６００のメールアドレスおよびクレジット番号を、また入退場情報９４として該携帯通信装置６００の映画館３００への入場時間および退場時間を取得するものである。特典提供先情報取得部３２は、取得した上記通信装置識別情報９３および入退場情報９４を特典提供先情報格納部２０における特典提供データベース３０６に記憶させる。なお、上記通信装置識別情報９３に関しては、上記したように電子チケット確認装置３０２から取得するのではなく、電子チケット発行装置１００から取得する構成であってもよい。
【０１３２】
特典提供先判定部３０は、特典提供データベース３０６に記憶されている通信装置識別情報９３および入退場情報９４に基づき、チケット代の一部を減額する、すなわち特典を提供する携帯通信装置６００を特定するものである。この特典提供先判定部３０は、特典提供データベース３０６において、入場時間および退場時間の確認が取れた携帯通信装置６００は、この入場時間から退場時間までの間、当該携帯通信装置６００が有する機能の少なくとも一部が停止されたものと判定する。そして、この特典提供先判定部３０は、この入場時間および退場時間の確認が取れた携帯通信装置６００を、特典の提供先として特定し、この特定された携帯通信装置６００の情報を特典要求通知部３１に通知する。
【０１３３】
なお、本実施例では、電子チケット確認装置３０２から取得した携帯通信装置６００の入場時間および退場時間に基づき、特典提供先判定部３０が特典の提供先の携帯通信装置６００を特定する構成であったが、入場時間だけに基づき、特典の提供先の携帯通信装置６００を特定する構成であってもよい。このように、上記入場時間のみに基づき、特典の提供先の携帯通信装置６００を特定する構成の場合、特典提供管理サーバ３０１は電子チケット確認装置３０２からは携帯通信装置６００の入場時間のみの通知を受ければよい。
【０１３４】
特典要求通知部３１は、特典提供先判定部３０から受信した特典の提供先である携帯通信装置６００の情報に応じて、該携帯通信装置６００の口座から引き落とされるチケット代を減額するように決済機関の決済処理サーバに指示を出すものである。
【０１３５】
また、携帯通信装置６００に特典として映画の映像の一部または画像のデータを提供する場合、特典提供管理サーバ３０１は、この映像または画像のデータを特典提供先情報格納部２０に記憶させておき、特典要求通知部３１は、この記憶された映像または画像のデータとともに、特典の提供先である携帯通信装置６００の通信装置識別情報９３を、通信ネットワーク４００を通じてキャリア２００に送信し、このキャリア２００から該携帯通信装置６００に配信するように指示する。
【０１３６】
（特典提供先としての携帯通信装置の管理フロー１）
ここで、図１１を参照して、特典提供先としての携帯通信装置６００を管理する管理処理にかかる処理の流れについて説明する。図１１は、特典提供先としての携帯通信装置６００を管理する管理処理にかかる処理の流れを説明するフローチャートである。
【０１３７】
まず、携帯通信装置６００が電子チケット発行装置１００から電子チケットの発行を受ける（ステップＳ１０、以降においてＳ１０と称する）。この発行された電子チケットには上記したように電子チケット情報９１が含まれており、この電子チケット情報９１には上映会場３０４において有効となる無線ＬＡＮの設定情報である無線ＬＡＮ設定情報９２が記憶されている。
【０１３８】
電子チケットを購入した携帯通信装置６００を所持したユーザが映画館３００に入場する際、電子チケット確認装置３０２は携帯通信装置６００が保持する電子チケット情報９１を確認する（Ｓ１１）。そして、電子チケット情報９１の確認が取れた場合、電子チケット確認装置３０２は、確認が取れた携帯通信装置６００の入場時間を特典提供管理サーバ３０１に通知する（Ｓ１２）。なお、電子チケット確認装置３０２は、上記入場時間を通知する際に、入場の確認が取れた携帯通信装置６００の通信装置識別情報９３も合わせて通知する。そして、この電子チケット確認装置３０２からの通知に応じて、特典提供管理サーバ３０１は、携帯通信装置６００の入場時間を特典提供データベース３０６に記録する（Ｓ１３）。特典提供管理サーバ３０１は、この入場時間を記録する際に、電子チケット確認装置３０２から受信した通信装置識別情報９３もあわせて特典提供データベース３０６に記録する。
【０１３９】
上記電子チケット確認装置３０２は入場時間および通信装置識別情報９３を特典提供管理サーバ３０１に通知する一方、電子チケット情報９１に含まれる無線ＬＡＮ設定情報９２に基づき無線ＬＡＮの設定を行うように携帯通信装置６００に指示する（Ｓ１４）。この電子チケット確認装置３０２からの指示に応じて、携帯通信装置６００は、無線ＬＡＮの設定を行う。
【０１４０】
無線ＬＡＮの設定が完了した携帯通信装置６００は、上映会場３０４において、機能制限管理サーバ３０３から送信された機能制限情報７０に基づき、当該携帯通信装置６００が有する機能のうち少なくとも一部は停止される（Ｓ１５）。
【０１４１】
映画の上映が終了して携帯通信装置６００を所持するユーザが映画館３００から退場すると電子チケット確認装置３０２は、携帯通信装置６００が保持する電子チケット情報９１を確認する（Ｓ１６）。そして、電子チケット確認装置３０２は、映画館の退場の確認が取れた携帯通信装置６００の退場時間を特典提供管理サーバ３０１に通知する（Ｓ１７）。また、電子チケット確認装置３０２は、退場の確認がとれた携帯通信装置６００に対して、無線ＬＡＮの設定を解除するように指示を出す。この指示を受けて携帯通信装置６００は無線ＬＡＮの設定を解除する。
【０１４２】
特典提供管理サーバ３０１は、電子チケット確認装置３０２から携帯通信装置６００の退場時間が通知されると、特典提供データベース３０６に記憶させる（Ｓ１８）。
【０１４３】
そして、特典提供管理サーバ３０１は、電子チケット確認装置３０２から送信された携帯通信装置６００の入場および退場時間に基づき、携帯通信装置６００において入退場の確認がとれたか否かを判定する（Ｓ１９）。この判定において携帯通信装置６００の入退場の確認が取れる場合（Ｓ１９において「ＹＥＳ」）、特典提供管理サーバ３０１は、この確認がとれた携帯通信装置６００を、特典提供先の携帯通信装置６００であると特定する（Ｓ２０）。そして、この特定した携帯通信装置６００に特典を与えるように、例えば決済処理サーバ等に指示を出す（Ｓ２１）。
【０１４４】
以上のように、当該携帯通信装置６００が有する機能の少なくとも一部を停止させた携帯通信装置６００を、特典を与える携帯通信装置６００として特典提供管理サーバ３０１が管理することができるため、上記携帯通信装置６００に適切に特典を与えることができる。したがって、携帯通信装置６００のユーザに携帯通信装置６００が有する機能の少なくとも一部が停止されることに対する代償として上記特典を与えることができるため、携帯通信装置６００の機能が停止されることに対するユーザの抵抗感を抑制することができる。さらには、特典というモチベーションを得られるため、本実施の形態に係る機能管理システム５００に適応した機種である携帯通信装置６００のユーザの購入意欲を向上させることができる。また、映画館３００を運営する運営者は、携帯通信装置６００の通話機能等を停止させることで、静かな環境を観客に提供することができるため、映画館３００への集客動員数の増加を図ることができ売上を向上させることができる。
【０１４５】
ところで、携帯通信装置６００が有する機能は携帯通信装置６００の機種に応じて異なることがあり、例えば、電子チケットを購入するための構成を備えていない装置が存在する場合もある。また、機能制限管理サーバ３０３からの指示に応じて、当該携帯通信装置６００が有する機能の一部を停止することができる携帯通信装置６００であっても、ユーザが停止された機能を再開させるための操作またはコードを知っており勝手に停止された機能を再開させてしまう場合もある。そこで、確実に当該携帯通信装置６００が有する機能の少なくとも一部の機能が停止されているか否かについて監視できるように機能管理システム５００が構成されていることが好ましい。
【０１４６】
そこで、以下に示すように、上映会場３０４において映画の上映開始時には、すべての携帯通信装置６００の主電源をＯＦＦの状態にし、映画の上映中に主電源がＯＮに切り換わった携帯通信装置６００が存在しないか否かを判定するようにする。
【０１４７】
つまり、携帯通信装置６００は、主電源がＯＮの際、携帯通信装置６００が有する機能の使用の有無に関わらず、常に微弱電波を出しており、キャリア２００が運営する基地局２０１に対して自身の位置を通知している。すなわち、キャリア２００側では、基地局２０１を介して上映会場３０４内にある携帯通信装置６００の主電源がＯＮの場合は、該携帯通信装置６００の位置を把握できることとなる。このことを利用して基地局２０１側で携帯通信装置６００の電源のＯＮまたはＯＦＦを監視することができる。
【０１４８】
つまり、映画館３００の上映会場３０４の位置において、映画の上映時間中に交信があった携帯通信装置６００が存在する場合、キャリア２００は、該携帯通信装置６００は電源がＯＦＦになっていないことを把握することができる。
【０１４９】
そこで、本実施の形態に係る機能管理システム５００では、図１２に示すように、キャリア２００が通信装置監視情報（監視情報）２０２を保持し、この通信装置監視情報２０２を参照して特典提供管理サーバ３０１に、上映時間中、上映会場３０４において携帯通信装置６００の主電源がＯＮになったか否かを通知する。以下において図１３および図１５を参照して携帯通信装置６００の主電源がＯＮであるか否かを判定し、特典提供管理サーバ３０１にこの判定結果を通知できる基地局２０１の構成について説明する。なお、図１３は、通信装置監視情報２０２のデータ構造の一例を示す図である。また、の図１５は、携帯通信装置６００の主電源の状態を監視する処理にかかる基地局２０１のソフトウェア構成を示す機能ブロック図である。
【０１５０】
（基地局のソフトウェア構成）
図１５に示すように、キャリア２００における基地局２０１は、基地局アンテナ５０、基地局通信制御部（信号受信手段）５１、監視制御部（信号受信手段・監視指示手段）５２、およびキャリア情報格納部（記憶装置）５３を備えている。
【０１５１】
この基地局２０１は、基地局通信制御部５１による制御の下、基地局アンテナ５０を介して携帯通信装置６００と通信を確立したり、通信ネットワーク４００を介して該通信ネットワーク４００に通信可能に接続された装置と通信を確立したりすることができる。
【０１５２】
監視制御部５２は、携帯通信装置６００の主電源の状態を監視するものであり、ソフトウェアによって実現できる機能ブロックとして情報取得部５４、監視結果通知部５５、電源監視部（受信判定手段）５６、および監視指示部（監視指示手段）５７を備えている。
【０１５３】
上記情報取得部５４は、基地局通信制御部５１に指示をして、通信ネットワーク４００を介して、後述するが通信装置監視情報２０２として記憶する各携帯通信装置６００の電話番号の情報および、映画館３００にて上映される映画の上映時間の情報等を取得するものである。この情報取得部５４は、取得したこれら情報をキャリア情報格納部５３に通信装置監視情報２０２として記憶する。
【０１５４】
監視指示部５７は、通信装置監視情報２０２を参照して映画の上映時間に応じて、電源監視部５６に携帯通信装置６００の電源がＯＮになったか否かを監視する、あるいは監視を停止するように指示するものである。
【０１５５】
電源監視部５６は、監視指示部５７からの指示に応じて携帯通信装置６００から発信されている電波の受信の有無を監視するものである。すなわち、電源がＯＮになっている携帯通信装置６００から発信された電波は、基地局アンテナ５０を介して基地局通信制御部５１が受信し、基地局通信制御部５１は、電源監視部５６からの指示に応じてこの受信した結果を電源監視部５６に送信する。なお、基地局通信制御部５１と電源監視部５６とによって信号受信手段を実現する。そして、電源監視部５６は、基地局通信制御部５１から送信された携帯通信装置６００からの電波の受信結果に基づき、該電波の受信の有無を監視する。そして、電源監視部５６は、監視した電波の受信の有無の結果に基づき、主電源がＯＮになった携帯通信装置６００の有無を示す情報を、監視結果通知部５５に送信する。
【０１５６】
すなわち、電源監視部５６は、通信装置監視情報２０２を参照して、上映会場３０４にある携帯通信装置６００のうちで映画の上映時間中に電波の受信があった携帯通信装置６００の有無を確認し、電波の受信があった携帯通信装置６００が存在する場合は、該携帯通信装置６００の電話番号および、電源がＯＮになった携帯通信装置があった旨を示す情報を監視結果通知部５５に送信する。また、上映時間中に電波の受信がなかった場合、電源監視部５６は、監視結果通知部５５に電源ＯＮになった携帯通信装置６００が無かった旨を示す情報を通知する。
【０１５７】
監視結果通知部５５は、電源監視部５６から受信した情報に基づき、電源がＯＮになった携帯通信装置６００がある場合は、該携帯通信装置６００の電話番号および電源がＯＮのなった旨を示す情報を特典提供管理サーバ３０１に送信するように基地局通信制御部５１に指示を出す。一方。電源がＯＮになった携帯通信装置６００がない場合は、電源がＯＮになった携帯通信装置６００が存在しない旨を示す情報を、特典提供管理サーバ３０１に送信するように、基地局通信制御部５１に指示を出す。
【０１５８】
そして、基地局通信制御部５１は、監視結果通知部５５からの指示に応じて、該監視結果通知部５５から受信した情報を、通信ネットワーク４００を介して特典提供管理サーバ３０１に送信する。
【０１５９】
キャリア情報格納部５３は、読み書き可能な不揮発性に記録媒体であり通信装置監視情報２０２を記憶している。この通信装置監視情報２０２は、図１３に示すように、どの携帯通信装置６００からの交信に伴う電波を受信したかを特定するための情報として、携帯通信装置６００それぞれの電話番号を少なくとも含んでいる。また、通信装置監視情報２０２は、上映会場３０４の場所および、この上映会場３０４において上映される映画の上映時間の情報も含んでいる。なお、図１３は、通信装置監視情報２０２のデータ構造の一例を示す図であり、通信装置監視情報２０２として格納されるデータの格納形式はそれに限定されない。
【０１６０】
この通信装置監視情報２０２に含まれる映画の上映時間については、映画館３００の運営者から基地局２０１が通信ネットワーク４００を通じて通知を受けることによって取得される。
【０１６１】
また、通信装置監視情報２０２に含まれる電話番号は、電子チケット発行装置１００から電子チケットを購入した携帯通信装置６００の場合は以下のようにして取得することができる。すなわち、電子チケット発行装置１００が電子チケット発行時に携帯通信装置６００に対して電話番号を登録するように指示し、登録された電話番号を電子チケット発行情報１０１から基地局２０１に通知することによって取得できる。
【０１６２】
また、電子チケット発行装置１００から電子チケットの発行を受けていない携帯通信装置６００の場合は次のようにして電話番号を取得することができる。すなわち、映画館３００のチケットの販売窓口（不図示）において、チケット購入時に、携帯通信装置６００の電話番号を該携帯通信装置６００のユーザに登録させる。そして、このチケット販売窓口から基地局２０１にチケット購入者の所持する携帯通信装置６００の電話番号を通知することによって携帯通信装置６００の電話番号を取得することができる。なお、上記チケット販売窓口も通信ネットワーク４００を通じてキャリア２００の基地局２０１と通信可能となっている。
【０１６３】
このようにして、基地局２０１は映画館３００に入場する携帯通信装置６００の電話番号を取得することができる。
【０１６４】
なお、このキャリア情報格納部５３は、本実施例では基地局２０１に備えられているが、キャリア２００内に備えられており、基地局２０１がキャリア内にあるキャリア情報格納部５３から通信装置監視情報２０２を参照する構成であってもよい。
【０１６５】
上記した構成により基地局２０１は、映画の上映時間中において、上映会場３０４にある携帯通信装置６００のうち、主電源がＯＮになった携帯通信装置６００の存在の有無を監視し、その監視した結果を特典提供管理サーバ３０１に通知することができる。
【０１６６】
一方、特典提供管理サーバ３０１は、電子チケット発行装置１００からの通知とキャリア２００からの通知に応じて、特典の提供先の携帯通信装置６００を特定する。つまり、特典提供管理サーバ３０１は、特典提供データベース３０６として以下に示す情報を含む通信装置識別情報９３を携帯通信装置６００ごとに記録している。すなわち、図１４に示すように、通信装置識別情報９３として各携帯通信装置６００のメールアドレス、電話番号、クレジット番号を記録する。また、各携帯通信装置６００の入退場情報９４として入場時間、退場時間に加えて主電源がＯＮになったか否かを示す電源状態情報を記録する。なお、図１４は特典提供データベース３０６に記録されるデータの一例であって、これらデータの格納形式はそれに限定されない。
【０１６７】
また、図１４に示す特典提供データベース３０６に記録されるデータは、それぞれ以下のようにして取得することができる。すなわち、電子チケット発行装置１００から電子チケットを購入して上映会場３０４に入場する携帯通信装置６００の場合は、上記したように、電子チケットによる入場確認の際に、電子チケット確認装置３０２から入場時間の通知とともに通信装置識別情報９３（メールアドレス・クレジット番号・電話番号）が取得される。なお、特典提供管理サーバ３０１は、この通信装置識別情報９３を電子チケット発行装置１００から取得して予め記録しておくように構成されていてもよい。
【０１６８】
一方、チケット窓口でチケットを購入する場合、携帯通信装置６００のユーザに、該携帯通信装置６００の通信装置識別情報９３（メールアドレス・クレジット番号・電話番号の）入力を要求する。そして、このようにして得られた各携帯通信装置６００の通信装置識別情報９３は、販売されたチケットに備えられたＩＣタグなどの記憶媒体に記憶される。また、電子チケット確認装置３０２は、上記ＩＣタグに記憶されたデータを読取るためのＩＣタグリーダ（不図示）を備えており、上映会場３０４への入場時にチケットに備えられたＩＣタグから通信装置識別情報９３を読み出し、特典提供管理サーバ３０１に通知する。電子チケット確認装置３０２は、このようにして電子チケットを購入していない携帯通信装置６００の通信装置識別情報９３を特典提供管理サーバ３０１に通知するとともに、この携帯通信装置６００の入場時間も合わせて通知する。
【０１６９】
また、入退場情報９４のうち、入場時間および退場時間は、携帯通信装置６００の上映会場３０４への入場または退場時に、電子チケットまたはチケット販売窓口によって販売されたチケットの確認を行い、この確認がとれた時間を特典提供管理サーバ３０１に通知する。このようにして、特典提供管理サーバ３０１は、各携帯通信装置６００の入退場時間を特典提供データベース３０６に記録することができる。
【０１７０】
また、入退場情報９４のうち、各携帯通信装置６００の主電源がＯＮになったか否かを示す電源状態情報は、キャリア２００からの通知に応じて特典提供管理サーバ３０１に記録することができる。
【０１７１】
すなわち、上述したように、上記キャリア２００の基地局２０１は、電話番号に基づき各携帯通信装置６００を識別し、携帯通信装置６００の主電源のＯＮ／ＯＦＦを監視している。そして、基地局２０１は、この主電源がＯＮになったか否かについての監視した結果とこの結果に対応する携帯通信装置６００の電話番号とを特典提供管理サーバ３０１に通知する。
【０１７２】
このようにして、基地局２０１から電話番号とともに電源がＯＮになった携帯通信装置６００の有無を示す情報が通知されるため、特典提供管理サーバ３０１は、キャリア２００からの上記通知がどの携帯通信装置６００に関するものであるのか対応付けを行うために各携帯通信装置６００の電話番号を通信装置識別情報９３として記憶している。
【０１７３】
なお、機能管理システム５００では、以下のようにして映画の上映開始時には、すべての携帯通信装置６００の主電源をＯＦＦの状態にする。すなわち、電子チケットを購入した携帯通信装置６００に対しては、映画の上映開始時に機能制限管理サーバ３０３が機能制限情報７０として携帯通信装置６００の主電源をＯＦＦにするように指示する情報を送信する。
【０１７４】
一方、映画館３００のチケット販売窓口でチケットを購入したユーザの携帯通信装置６００に関しては、館内放送、あるいは映画のスクリーン上で携帯通信装置６００の主電源をＯＦＦに切り換えるように指示する。このようにして、上映会場３０４にある携帯通信装置６００の主電源をすべてＯＦＦにさせる。
【０１７５】
（特典提供先としての携帯通信装置の管理フロー２）
ここで、特典提供管理サーバ３０１が、電子チケット発行装置１００からの通知とキャリア２００からの通知とに応じて特典の提供先としての携帯通信装置６００を管理する管理処理にかかる処理の流れについて説明する。図１６は、特典提供先としての携帯通信装置６００を管理する本発明の別の実施例としての管理処理にかかる処理の流れを説明するフローチャートである。
【０１７６】
まず、携帯通信装置６００がチケットの発行を受ける（Ｓ３０）。携帯通信装置６００は、このチケットの発行を電子チケット発行装置１００から受けてもよいし、映画館３００のチケット販売窓口で発行されてもよい。チケットを購入すると携帯通信装置６００を所持するユーザは、映画館３００に入場する。この入場時において、電子チケット確認装置３０２が、チケットを検札し、携帯通信装置６００を所持するユーザの入場を確認する（Ｓ３１）。すなわち、電子チケットの発行を受けている携帯通信装置６００は、電子チケット確認装置３０２によって電子チケット情報９１の確認がなされる。一方、チケット販売窓口でチケットを購入した場合、電子チケット確認装置３０２は、自身が備えたＩＣタグリーダによって、販売されたチケットに備えられたＩＣタグに記憶された情報を確認する。
【０１７７】
そして、電子チケット確認装置３０２は、チケットを検札し入場確認が取れると、携帯通信装置６００の入場時間を特典提供管理サーバ３０１に通知する（Ｓ３２）。なお、電子チケット確認装置３０２は、上記入場時間を通知する際に、入場の確認が取れた携帯通信装置６００の通信装置識別情報９３も合わせて通知する。そして、この電子チケット確認装置３０２からの通知に応じて、特典提供管理サーバ３０１は、携帯通信装置６００の入場時間を特典提供データベース３０６に記録する（Ｓ３３）。特典提供管理サーバ３０１は、この入場時間を記録する際に、電子チケット確認装置３０２から受信した通信装置識別情報９３もあわせて特典提供データベース３０６に記録する。
【０１７８】
ここで、上記電子チケット確認装置３０２は、上記入場時間および通信装置識別情報９３を特典提供管理サーバ３０１に通知する一方、電子チケットを購入した携帯通信装置６００に対しては、電子チケット情報９１に含まれる無線ＬＡＮ設定情報９２に基づき、ＡＰ３０５との接続を確立するように無線ＬＡＮの設定を行うように指示する。この電子チケット確認装置３０２からの指示に応じて、電子チケットを購入した携帯通信装置６００は、無線ＬＡＮの設定を行いＡＰ３０５との接続を確立する。
【０１７９】
携帯通信装置６００を所持するユーザが上映会場３０４に入場し上映時間になると、携帯通信装置６００の主電源をＯＦＦにさせる（Ｓ３４）。すなわち、ＡＰ３０５との接続を確立している携帯通信装置６００は、上映会場３０４において、機能制限管理サーバ３０３から送信された機能制限情報７０に基づき、当該携帯通信装置６００の主電源をＯＦＦにする。一方、ＡＰ３０５との接続の確立がなされていない、すなわちチケット販売窓口でチケットを購入した携帯通信装置６００に対しては、上映会場３０４内の館内放送またはスクリーン上に流す映像によって携帯通信装置６００の主電源をＯＦＦにするように通知する。この館内放送での主電源ＯＦＦを指示する通知は、機能制限管理サーバ３０３が上映会場３０４に備えられたスピーカに主電源をＯＦＦすることを指示するアナウンスを流すように指示することで実現できる。また、スクリーン上に主電源ＯＦＦを指示する映像を写しだす場合、機能制限管理サーバ３０３は映写機３０７に、この通知を示す映像をスクリーン上に映し出すように指示を出す。このように、館内放送またはスクリーン上の映像によって携帯通信装置６００の主電源をＯＦＦするように指示する場合、機能制限管理サーバ３０３では、電源ＯＦＦ通知部６６が上映開始前に、管理サーバ主制御部６５を介して出力制御部６０を通じて、スピーカまたは映写機３０７に指示を出す。
【０１８０】
また、映画の上映が開始されるとキャリア２００の基地局２０１は、携帯通信装置６００の電源がＯＮになったか否かについての監視を開始する（Ｓ３５）。そして映画の上映が終了すると、基地局２０１は、携帯通信装置６００の主電源がＯＮになったか否かについての監視を終了する（Ｓ３６）。
【０１８１】
そして、基地局２０１は、通信ネットワーク４００を通じて特典提供管理サーバ３０１に主電源がＯＮに切り換わった携帯通信装置６００の有無に関して監視した結果情報を特典提供管理サーバ３０１に通知する（Ｓ３７）。特典提供管理サーバ３０１は、基地局２０１から上記結果情報の通知を受けると、この通知を、特典提供データベース３０６に記録する（Ｓ３８）。すなわち、特典提供管理サーバ３０１は、基地局２０１からの通知に基づき、特典提供データベース３０６における入退場情報９４のうち、主電源がＯＮになった携帯通信装置６００の有無を示す情報を記録する。
【０１８２】
また、映画が終了して携帯通信装置６００を所持するユーザが映画館３００から退場すると電子チケット確認装置３０２は、チケットを確認する（Ｓ３９）。すなわち、電子チケット確認装置３０２は、入場時と同様にして電子チケット情報９１を保持する携帯通信装置６００に対して、この電子チケット情報９１を確認する。一方、チケット販売窓口でチケットを購入している場合、チケットに備えられたＩＣタグに記憶された情報をＩＣタグリーダによって読取り確認をする。
【０１８３】
そして、電子チケット確認装置３０２は、映画館の退場の確認が取れた携帯通信装置６００の退場時間を特典提供管理サーバ３０１に通知する（Ｓ４０）。
【０１８４】
特典提供管理サーバ３０１は、電子チケット確認装置３０２から携帯通信装置６００の退場時間が通知されると、特典提供データベース３０６に記憶する（Ｓ４１）。すなわち、特典提供管理サーバ３０１は、特典提供データベース３０６における入退場情報９４のうち、各携帯通信装置６００の退場時間を記録する。
【０１８５】
そして、特典提供管理サーバ３０１は、携帯通信装置６００の入退場情報９４に基づき、携帯通信装置６００の入退場の確認がとれたか否かを判定する（Ｓ４２）。この判定において入退場の確認が取れる場合（Ｓ４２において「ＹＥＳ」）、次に、特典提供管理サーバ３０１は、この入退場の確認がとれた携帯通信装置６００の主電源がＯＮに切り換わったか否かを判定する（Ｓ４３）。この判定において携帯通信装置６００の主電源がＯＮに切り換わらなかった場合（Ｓ４３において「ＮＯ」）、この携帯通信装置６００を特典提供先の携帯通信装置６００であると特定する（Ｓ４４）。そして、この特定した携帯通信装置６００に特典を与えるように、例えば決済処理サーバ等に指示を出す（Ｓ４５）。
【０１８６】
以上のようにして、本実施の形態に係る機能管理システム５００では、電子チケットを電子チケット発行装置１００から購入した携帯通信装置６００の場合は、機能制限管理サーバ３０３から送信された主電源ＯＦＦを指示する機能制限情報７０に基づき、当該携帯通信装置６００の主電源をＯＦＦにすることができる。また、チケット販売窓口でチケットを買って入場したユーザが所持する携帯通信装置６００の場合は、館内放送等によって主電源をＯＦＦするように通知することによって電源をＯＦＦすることができる。
【０１８７】
また、基地局２０１が電源監視部５６を備えているため、上映会場３０４における映画の上映時間中に主電源をＯＮにした携帯通信装置６００の有無を監視することができる。また、電子チケット確認装置３０２を備えているため、携帯通信装置６００の上映会場３０４への入退場を確認することができる。
【０１８８】
また、特典提供管理サーバ３０１が、電子チケット確認装置３０２から送信された携帯通信装置６００の入退場の時間と、基地局２０１から通知された主電源がＯＮである携帯通信装置６００の有無を示す情報とに基づき、特典提供先としての携帯通信装置６００を特定することができる。このため、機能管理システム５００では上映会場３０４に確実に入場し映画を鑑賞し、かつ上映時間中に当該携帯通信装置６００の主電源をＯＦＦのままにしている携帯通信装置６００に特典を提供することができる。すなわち、機能管理システム５００では、チケットを購入し、実際に上映会場３０４に来場し、上映時間中には主電源を確実にＯＦＦにしている携帯通信装置６００のみを特典の提供先とすることができる。
【０１８９】
なお、上記機能管理システム５００において、上映時間中に主電源を確実にＯＦＦにしていない携帯通信装置６００に対しては、罰則を与えるように構成されている。この罰則としては、例えば、チケット代が減額されることなく正規の料金で請求されたり、さらには正規料金に上乗せされた料金の請求がなされたりする。あるいは、罰則金として、携帯通信装置６００のユーザに別途料金を請求してもよい。
【０１９０】
ところで、上記した構成において機能管理システム５００は、上映会場３０４において、一時的に携帯通信装置６００が通話機能を使用できる期間がもうけられている場合、この期間は、この通話機能の使用可能とする指示を示す機能制限情報７０を携帯通信装置６００が受信することによって実現される。このため、この期間は、機能制限管理サーバ３０３によって管理することができる。一方、通話機能が停止させられているにも関わらず、実際に通話を行ったか否かについては、上記基地局２０１によって監視することができる。
【０１９１】
そこで、本実施の形態に係る機能管理システム５００では、機能制限管理サーバ３０３から送信された機能制限情報７０によって許可された期間における通話であるのか否かを確認することができる。そして、機能制限管理サーバ３０３から送信された機能制限情報７０に応じて、通話機能が許可された期間において携帯通信装置６００が通話を行った場合は、この携帯通信装置６００は特典の提供先とするが、それ以外の期間で上映会場３０４において携帯通信装置６００が通話機能を使用している場合は、特典の提供先とはしないように構成されていてもよい。また、特典の提供先として選択されなかった携帯通信装置６００に対しては特典を与えずチケット代の減額は行われない。
【０１９２】
なお、上記減額するチケット代は、一律決められた金額であってもよいが、例えば、当該携帯通信装置６００が有する機能が制限された期間に比例して減額額が決められる構成であってもよい。または、映画館３００をユーザが利用した回数に応じて減額の幅を変更してもよい。例えば、１回目の場合はチケット代の１０％が減額されるが、２回目は１１％、３回目は１２％…と言うように減額幅が変更されることによって、映画館３００へのリピータを多く獲得することができる。
【０１９３】
このように、本実施の形態に係る機能管理システム５００では、上映会場３０４において上映時間中に携帯通信装置６００の主電源をＯＦＦとすることができるため、通話による声、携帯通信装置６００の呼び鈴の音などによって映画鑑賞を妨げることなく静かな環境を提供することができる。
【０１９４】
また、本実施形態に係る機能管理システム５００では、特典提供管理サーバ３０１が、上映会場３０４において、映画の上映時間中に携帯通信装置６００の主電源をＯＦＦとしている携帯通信装置６００を特典の提供先として管理することができるため、携帯通信装置６００の主電源をＯＦＦにしているユーザに特典を提供することができる。
【０１９５】
したがって、上記機能管理システム５００では、特典という利得を得ることができるため、映画の上映期間中に、ユーザに対して自主的に自身が有する携帯通信装置６００の機能を使用しないよう操作させることができる。
【０１９６】
このため、上記機能管理システム５００では、携帯通信装置６００が有する機能が制御されるもしくは携帯通信装置６００における電源供給が停止される代わりに、該携帯通信装置６００を特典の提供先とすることができる。このため、上記携帯通信装置６００の所有者は、該携帯通信装置６００が有する機能が制御される、もしくは携帯通信装置６００における電源供給が停止されることによって被る不利益に対する代償を得ることができる。
【０１９７】
よって、本実施の形態に係る機能管理システム５００は、通信装置の機能のうち少なくとも一部が制御される、もしくは携帯通信装置６００における電源供給が停止されることに対するユーザの抵抗感を抑えることができる。
【０１９８】
また、上記機能管理システム５００では、上述したように携帯通信装置６００のユーザは、当該携帯通信装置６００の有する機能のうち少なくとも一部が制御される、もしくは、携帯通信装置６００における電源供給が停止させる場合、特典を得ることができるため、本実施の形態に係る機能管理システム５００に適用できる携帯通信装置の所持をユーザに促すことができる。
【０１９９】
なお、上述したように、本実施の形態に係る機能管理システム５００では、電子チケット確認装置３０２が、各携帯通信装置６００の上映会場３０４への入退場を確認する構成であった。また、ＡＰ３０５との接続を確立することができない携帯通信装置６００を含めて、基地局２０１が映画の上映時間中に、各携帯通信装置６００が電源供給の停止、すなわち主電源をＯＦＦにしているか否かを監視する構成であった。
【０２００】
さらに、本実施の機能管理システムは、図１７に示すように機能制限管理サーバ３０３が、各携帯通信装置６００の上映会場３０４への入退場を確認する構成とすることもできる。なお、図１７は、本発明の別の一実施の形態である機能管理システム５００の構成を示す説明図である。
【０２０１】
図１７に示す機能管理システム５００は、映画館３００内において、例えば上映会場３０４とロビー４０４という様に区切られた空間（部屋）ごとにＡＰ３０５（ＡＰ３０５a、ＡＰ３０５ｂ）が備えられている。そして、機能制限管理サーバ３０３は、各ＡＰ３０５ａおよびＡＰ３０５ｂごとに異なる機能制限情報７０を携帯通信装置６００に送信している点が図１に示す機能管理システム５００と異なる。なお、特にＡＰ３０５ａとＡＰ３０５ｂとを区別して説明する必要がある場合以外はＡＰ３０５と称する。
【０２０２】
また、図１７に示す機能管理システム５００の機能制限管理サーバ３０３が、各ＡＰ３０５ａ、ＡＰ３０５ｂそれぞれと接続を確立している携帯通信装置６００各々を特定できるように構成されている点が図１に示す機能管理システム５００と異なる。
【０２０３】
すなわち、図１７に示す機能管理システム５００の機能制限管理サーバ３０３は、図１８に示すように、図７に示す機能制限管理サーバ３０３の構成において、管理サーバ主制御部６５が機能ブロックとして、さらに通信装置確認制御部（特定手段）７７を備え、記憶部６４がＡＰ管理テーブル７２および通信装置識別情報（識別情報）７３を記憶している点で異なる。
【０２０４】
また、後述するが、図１７に示す機能制限管理サーバ３０３は、映画の上映開始までの間、上映会場３０４内にある携帯通信装置６００に向けてサービスコンテンツを送信するように構成されている点で異なる。
【０２０５】
ここで、記憶部６４が記憶するＡＰ管理テーブル７２は、各部屋ごとに設けられたＡＰ３０５を管理するための情報が記録されたものであり、各ＡＰ３０５ａ、ＡＰ３０５ｂを識別するための識別情報を記憶している。
【０２０６】
また、記憶部６４が記憶している通信装置識別情報７３は、各携帯通信装置６００を識別するための情報であり、各携帯通信装置６００に割り当てられているＭＡＣアドレスが記憶されている。なお、この各携帯通信装置６００のＭＡＣアドレスは、各携帯通信装置６００が電子チケット発行装置１００またはチケット売り場４０８からチケットを購入する際に登録するようになっている。このため、機能制限管理サーバ３０３は、通信ネットワーク４００を通じて、電子チケット発行装置１００または機能制限管理サーバ３０３から上記各携帯通信装置６００のＭＡＣアドレスを取得し、記憶部６４に通信装置識別情報７３として記憶する。
【０２０７】
管理サーバ主制御部６５が機能ブロックとして備える通信装置確認制御部７７は、ＡＰ管理テーブル７２および通信装置識別情報７３を参照して、ＡＰ３０５ａおよびＡＰ３０５ｂそれぞれと接続を確立している携帯通信装置６００を特定するものである。
【０２０８】
このように、図１７に示す機能管理システム５００は、部屋ごとに携帯通信装置６００が有する機能を制御することができる。また、後述するが上記通信装置確認制御部７７が、上映会場３０４からの携帯通信装置６００の入退場を確認するように構成されており、この点においても図１に示す機能管理システム５００と異なる。
【０２０９】
以下において、図１９を参照して図１７に示す機能管理システム５００における特典の提供先としての携帯通信装置６００を管理する管理処理にかかる処理の流れについて説明する。なお、図１９は、特典提供先としての携帯通信装置６００を管理する本発明の別の実施例としての管理処理にかかる処理の流れを説明するフローチャートである。
【０２１０】
（特典提供先としての携帯通信装置の管理フロー３）
まず、携帯通信装置６００がチケットの発行を受ける（Ｓ５１）。携帯通信装置６００は、このチケットの発行を電子チケット発行装置１００から受けてもよいし、映画館３００のチケット販売窓口（チケット売り場４０８）で発行されてもよい。
【０２１１】
そして、チケットの発行を受けると携帯通信装置６００は、映画館３００に設置されているＡＰ３０５ａおよびＡＰ３０５ｂそれぞれと接続が確立できるように無線ＬＡＮの設定を行う（Ｓ５２）。
【０２１２】
この無線ＬＡＮの設定は、携帯通信装置６００が、電子チケット発行装置１００から電チケットを購入した場合、電子チケット情報９１に含まれる無線ＬＡＮ設定情報９２に基づき、ＡＰ３０５との接続を確立するように設定を行う。すなわち、携帯通信装置６００は、電子チケット発行装置１００から電子チケットの発行を受けると、電子チケット発行装置１００からの指示に応じて無線ＬＡＮの設定を行う。
【０２１３】
一方、チケット売り場４０８でチケットを購入した場合、購入したチケットにＩＣタグが付されており、これを携帯通信装置６００が読取って上記無線ＬＡＮ設定情報９２を取得し、無線ＬＡＮの設定を行う。
【０２１４】
なお、携帯通信装置６００が取得する上記無線ＬＡＮ設定情報９２には、有効期限が設定されており、映画の上映開始日時になるまでＡＰ３０５ａおよびＡＰ３０５ｂとの接続が確立できないようになっている。また、映画の上映終了日時、その回上映時間の終了等になるとこの無線ＬＡＮ設定情報９２は無効となるようになっており、この無線ＬＡＮ設定情報９２に基づき設定された無線ＬＡＮの設定は解除される。
【０２１５】
また、電子チケット発行装置１００から電子チケットを購入する際、あるいはチケット売り場でチケットを購入する際、携帯通信装置６００は自装置に割り当てられたＭＡＣアドレスを登録するようになっている。
【０２１６】
携帯通信装置６００が、ＡＰ３０５との接続を確立できる時間に到達し（Ｓ５３）、携帯通信装置６００を所持したユーザがロビー４０４に入場すると、該携帯通信装置６００はロビー４０４に備えられているＡＰ３０５ｂとの接続を確立する。
【０２１７】
なお、上記携帯通信装置６００は、ロビー４０４に入場する前に、電子チケット確認装置３０２によって、電子チケットあるいはチケット売り場４０８で購入したチケットの保持について確認がなされている。
【０２１８】
ロビー４０４でしばらく上映時間まで待機していたユーザは、上映開始間近になると、上映会場３０４内に移動する（Ｓ５５）。なおこの時、機能制限管理サーバ３０３は、上映会場３０４内への移動が可能になった旨を通知する情報を、ＡＰ３０５ｂを介して携帯通信装置６００に通知している。
【０２１９】
携帯通信装置６００を所持したユーザが上映会場３０４内に移動すると、携帯通信装置６００は、上映会場３０４内に設置されたＡＰ３０５ａと接続を確立しなおす（Ｓ５６）。このようにして上映会場３０４内では、携帯通信装置６００は設置されたＡＰ３０５ａを介した無線通信を行う。
【０２２０】
このように、接続先のＡＰ３０５が変わることによって、携帯通信装置６００が有する機能のうち制限される機能の種類が異なる。すなわち、ロビー４０４では、携帯通信装置６００が有する機能すべてが使用許可であったが、上映会場３０４では、機能制限管理サーバ３０３から送信された機能制限情報７０に応じて、例えば通話機能、メールの送受信機能、およびカメラ機能が停止される。
【０２２１】
また、機能制限管理サーバ３０３は、ＡＰ３０５ａと携帯通信装置６００との接続の確立を確認すると、この確認がとれた携帯通信装置６００のＭＡＣアドレスを特典提供管理サーバ３０１に送信する。
【０２２２】
すなわち、携帯通信装置６００は、ＡＰ３０５と接続を確立する際に、自装置に割り当てられているＭＡＣアドレスを送信しており、機能制限管理サーバ３０３は、どの携帯通信装置６００が、どのＡＰ３０５との接続を確立しているかを確認することができるようになっている。このため、機能制限管理サーバ３０３が、携帯通信装置６００がどのＡＰ３０５と接続を確立しているかを確認することで、どの場所にいるかが判定できる。特に映画館３００のように、各部屋が厚い壁で覆われ、区切られている場合は、各部屋内のＡＰ３０５とのみ通信可能であるため、明確に上映会場３０４内に携帯通信装置６００が存在するか否かを判定できる。
【０２２３】
このようにして、携帯通信装置６００それぞれからＭＡＣアドレスを取得し、機能制限管理サーバ３０３が、ＡＰ３０５ａとの接続を確立した携帯通信装置６００を確認すると、この確認のとれた携帯通信装置６００のＭＡＣアドレスを特典提供管理サーバ３０１に送信する。この特典提供管理サーバ３０１は、機能制限管理サーバ３０３から送信された上記携帯通信装置６００のＭＡＣアドレスを特典提供データベース３０６に通信装置識別情報９３として記録する。
【０２２４】
なお、この特典提供データベース３０６における、各携帯通信装置６００の入退場情報は、特典提供管理サーバ３０１が機能制限管理サーバ３０３から携帯通信装置６００のＭＡＣアドレスを受信した時間が記録される。すなわち、携帯通信装置６００がＡＰ３０５ａとの接続を確立した時間が記録される。
【０２２５】
ところで、この上映会場３０４では映画が上映開始されるまで、機能制限管理サーバ３０３が、今から上映される映画に関する基本情報、出演者情報、製作エピソードなどを含むコンテンツ、すなわちサービスコンテンツ７４を、携帯通信装置６００それぞれに向けて送信している。機能制限管理サーバ３０３は、このサービスコンテンツ７４…を記憶部６４に記憶している。そして、選択制御部６２が機能制限情報管理テーブル７１を参照して特定のサービスコンテンツ７４を選択し、該選択したサービスコンテンツ７４を、映画の上映開始時間までの待ち時間の間、ＡＰ３０５ａを介して上映会場３０４内にある携帯通信装置に向けて送信する。
【０２２６】
なお、上記コンテンツは、機能制限管理サーバ３０３が予め記憶し、携帯通信装置６００に向けて送信する構成であるがこれに限定されるものではなく、以下のようにしてコンテンツを送信する構成であってもよい。
【０２２７】
すなわち、特典提供管理サーバ３０１が、上記コンテンツを特典提供先情報格納部２０に記憶しており、この待ち時間において、特典提供先情報格納部２０からコンテンツデータを読み出し機能制限管理サーバ３０３に送信する。そして、機能制限管理サーバ３０３が、特典提供管理サーバ３０１から受信したコンテンツを、ＡＰ３０５ａを介して携帯通信装置６００に送信するように構成されていてもよい。
【０２２８】
そして、携帯通信装置６００は、このコンテンツを受信すると、該携帯通信装置６００のユーザによる操作部１４への入力指示に応じて、主制御部４０が取得したコンテンツを表示部１２に表示させる。このようにして、携帯通信装置６００のユーザはＡＰ３０５ａを介して送信されたコンテンツを表示させて視聴する（Ｓ５７）。
【０２２９】
このようにして、上映会場に入場した携帯通信装置６００を有するユーザは、上記サービスコンテンツを視聴することができるため、これから上映される映画をより楽しく視聴することができる。
【０２３０】
そして、映画の上映時間に到達すると（Ｓ５８）、機能制限管理サーバ３０３は、基地局２０１を介して行われる通信ができないように指示する内容を含む機能制限情報７０を送信する。この機能制限情報７０を受信すると、携帯通信装置６００では、基地局２０１を介して行われる通信ができないように主制御部４０が設定を行う。これによって、携帯通信装置６００は、各部屋に設置されたＡＰ３０５ａおよびＡＰ３０５ｂとを介して行う無線通信以外の通信をＯＦＦすることとなる（Ｓ５９）。
【０２３１】
このようにして、上記基地局２０１を介して行う通信が停止され、ＡＰ３０５を介して行う通信のみが有効となるように設定が変更されると、携帯通信装置６００では、主制御部４０が表示部１２に指示して設定が変更された旨を通知するメッセージを表示させる（Ｓ６０）。なお、この表示させるメッセージのデータは、図示していないが機能制限管理サーバ３０３が予め記憶部６４に記憶しており、機能制限情報７０とともに携帯通信装置６００に送信される。ただし、上記メッセージの情報は予め携帯通信装置６００が、第１メモリ１０または第２メモリ１３に予め保持している構成であってもよい。
【０２３２】
このように、携帯通信装置６００において、当該携帯通信装置６００が有する機能の制限の変更を通知する表示を行うことで、上記携帯通信装置６００を有するユーザに現在当該携帯通信装置６００が利用できる機能を確認させることができる。
【０２３３】
このようにして、機能制限管理サーバ３０３、特典提供管理サーバ３０１、および携帯通信装置６００の間において設定が変更されたことに対する確認のやりとりが行われる（Ｓ６１）。
【０２３４】
また、機能制限管理サーバ３０３は、上映会場３０４内にある携帯通信装置６００に対して、当該携帯通信装置６００が有する機能を全て停止させるように機能制限情報７０を送信する。この機能制限管理サーバ３０３から送信された機能制限情報７０に応じて、各携帯通信装置６００は、当該携帯通信装置６００が有する機能を停止させる。
【０２３５】
ここで、携帯通信装置６００を有するユーザが、上映会場３０４から一時退場し、ロビー４０４に移動し、このロビーに設置されたＡＰ３０５ｂと接続を確立しなおした場合（Ｓ６２において「ＹＥＳ」）、この携帯通信装置６００はＡＰ３０５ｂと接続を確立しなおす。
【０２３６】
ところで、機能制限管理サーバ３０３は、基地局２０１を介して行う通話が停止されるように機能が制限されている場合、この機能の停止を解除することを指示する機能制限情報７０を、ＡＰ３０５ｂを介して送信している。このため、ＡＰ３０５ｂと接続を確立した携帯通信装置６００は、停止されている基地局２０１を介して通信を行う機能を再開させることができる。すなわち、携帯通信装置６００は基地局２０１を介して他の通信装置と行う、通話機能（電話機能）の制限が解除される（Ｓ７０）。このようにして、上映会場３０４から一時退出したユーザは、自身が所持する携帯通信装置６００を使って、基地局２０１を介して他の通信装置と通話を行うことができる（Ｓ７１）。すなわち、上映会場３０４から携帯通信装置６００を所持するユーザが、急に電話がしたくなってロビー４０４に出た場合、携帯通信装置６００の機能に対する制限を解除し、電話等が可能になる。
【０２３７】
通話を終え、上映会場３０４に再度入場すると、上記携帯通信装置６００は、上記したステップＳ５５〜ステップＳ６１に示した処理ステップを繰り替えし、再度基地局２０１を介して他の通信装置との通話ができないように設定される。
【０２３８】
また、例えば天災等により緊急事態が生じた場合（Ｓ６３において「ＹＥＳ」）、機能制限管理サーバ３０３は、停止されている機能をすべて再開するように指示する機能制限情報７０を、ＡＰ３０５を介して携帯通信装置６００に送信する。この機能制限管理サーバ３０３から送信された機能制限情報７０を受信すると、携帯通信装置６００は、停止している機能を全て再開させ、機能の制限を解除する（Ｓ７２）。また、機能制限管理サーバ３０３は、上記機能制限情報７０とともに、異常事態の発生を示すメッセージデータを携帯通信装置６００に送信しており、該携帯通信装置６００は、このメッセージを受信して表示部１２にこのメッセージ内容を表示させる（Ｓ７３）。そして、映画館３００の従業員の指示に従って、映画館３００から避難する（ＥＮＤ）。
【０２３９】
一方、緊急事態が発生せず、無事に映画の上映時間が終了すると（Ｓ６４）、機能制限管理サーバ３０３は、ＡＰ３０５ａを介してサービスコンテンツを携帯通信装置６００に送信する。そして、携帯通信装置６００はこの送信されたサービスコンテンツを受信する（Ｓ６５）。
【０２４０】
そして、上映会場３０４から退場し、ロビー４０４に移動すると（Ｓ６６）、携帯通信装置６００は、ＡＰ３０５ｂとの接続を確立する。そして、携帯通信装置６００は、機能制限管理サーバ３０３から送信されている機能制限情報７０に基づき、当該携帯通信装置６００が有する機能において、停止されている携帯通信装置６００が有する機能を再開させる。
【０２４１】
また、映画の上映時間が終了すると、特典提供管理サーバ３０１は、特典提供データベース３０６に記録された通信装置識別情報９３および入退場情報９４に基づき、特典の提供先である携帯通信装置６００を決定する。そして、特典の提供先として決定された携帯通信装置６００が登録されているクレジット番号とともに決済機関の決済処理サーバ（不図示）に携帯通信装置６００の口座から引き落とされるチケット代の一部を減額させるように通知する。このようにして、映画館３００の運営者が、映画の上映中に機能の制限を受けた携帯通信装置６００のユーザが支払う電子チケット代の一部を減額する。
【０２４２】
また、特典提供管理サーバ３０１は、機能制限管理サーバ３０３に特典の提供先、すなわちチケット代を減額させる携帯通信装置６００に関する情報（ＭＡＣアドレス）を送信し、該携帯通信装置６００にチケット代の減額を行う旨を通知するように指示する。
【０２４３】
特典提供管理サーバ３０１からの指示に応じて、機能制限管理サーバ３０３は、チケット代の減額を行う旨の通知を示す情報を、特典の提供先として決定された携帯通信装置６００それぞれに送信する。一方、機能制限管理サーバ３０３から送信された上記通知を受信すると、携帯通信装置６００は、表示部１２において受信した通知内容を表示させる（Ｓ６７）。
【０２４４】
このようにして、上映時間において機能が制限された携帯通信装置６００は、チケット代の減額という特典を享受することができる。
【０２４５】
また、上記無線ＬＡＮ設定情報９２には上記したように有効期限が設定されており、有効期限が経過すると、携帯通信装置６００が有する無線ＬＡＮ設定情報９２が無効となる。このため、携帯通信装置６００では、有効期限が経過すると無線ＬＡＮ設定情報９２に基づき設定された無線ＬＡＮの設定を初期状態に戻す（Ｓ６８）。
【０２４６】
一方、映画館３００では、ＡＰ３０５ａおよびＡＰ３０５ｂとの接続の確立を行うための設定情報（無線ＬＡＮ設定情報９２）を変更させる（Ｓ６９）。このようにして、正規のチケットを有していないユーザの所持する携帯通信装置６００が、ＡＰ３０５と接続を確立できないように設定されている。
【０２４７】
また、携帯通信装置６００の有する機能を制限した際、機能を制限した内容を表示し、間違って携帯電話を使用した際には、機能を制限している内容を表示するようにすれば、使用者は制限か故障かを明確に判断できる。例えば、この表示例としては、機能制限管理サーバ３０３から、カメラ機能および通話機能を停止させる旨を示す機能制限情報７０を携帯通信装置６００が受信した場合、該携帯通信装置６００では、「現在、カメラ・通話が禁止されています。」といったメッセージの表示が行われる。あるいは、上記携帯通信装置６００が、機能制限管理サーバ３０３から全ての機能を停止する旨を示す機能制限情報７０を受信した場合、該携帯通信装置６００では、「携帯通信装置の有する機能を全て制限しました。」といったメッセージが表示される。
【０２４８】
以上のように、上記機能管理システム５００は、機能制限情報７０に応じて基地局２０１を介して行う他の通信装置との通話を停止させることができる。また、特典提供管理サーバ３０１が、機能制限管理サーバ３０３から送信された、上記基地局２０１を介して行う通信を停止させた携帯通信装置６００の情報（ＭＡＣアドレス）に基づき、特典の提供先である携帯通信装置６００を決定することができる。
【０２４９】
すなわち、ＡＰ３０５を介して機能制限管理サーバ３０３から送信される機能制限情報７０に応じて、当該携帯通信装置６００が有する機能を制限するように設定された携帯通信装置６００を特典の提供先とすることができる。
【０２５０】
なお、上記にて各携帯通信装置６００を識別する情報として各携帯通信装置６００に割り当てられているＭＡＣアドレスを用いたがこれに限定されるものではなく、例えば、各携帯通信装置６００に割り当てられたＩＰアドレスであってもよい。
【０２５１】
また、上記した実施例では、携帯通信装置６００に提供する特典が、チケット代の減額であったが、チケット代の減額の代わりに特別な映像または画像のコンテンツを提供する構成であってもよい。なお、このように特別な映像または画像のコンテンツを提供する場合、ロビー４０４において、ＡＰ３０５を介して特典提供管理サーバ３０１からの指示に応じて機能制限管理サーバ３０３から提供をうけてもよい。あるいは、特典として提供する映像または画像データのコンテンツを特典提供管理サーバ３０１が保持しており、基地局２０１を介して各携帯通信装置６００に配信する構成であってもよい。
【０２５２】
以上のように各部屋ごとにＡＰ３０５を備え、それぞれ各部屋に応じた機能制限情報７０を機能制限管理サーバ３０３が送信することで、携帯通信装置６００を取り巻く環境に応じて、当該携帯通信装置６００が有する機能を適切に制限することができる。
【０２５３】
また、機能制限管理サーバ３０３が、どのＡＰ３０５と携帯通信装置６００とが接続を確立しているかを確認することができるため、当該携帯通信装置６００が有する機能の少なくとも一部を制御、すなわち制限している携帯通信装置６００を監視することができる。
【０２５４】
なお、上記した機能管理システム５００では、電子チケット発行装置１００から電子チケットを購入する場合、無線ＬＡＮ設定情報９２が電子チケット情報９１に含まれており、携帯通信装置６００は、電子チケットを購入することによって無線ＬＡＮ設定情報９２を取得できるように構成されている。しかしながら無線ＬＡＮ設定情報９２の取得方法は、これに限定されるものではなく、電子チケット情報９１とは別途無線ＬＡＮ設定情報９２が提供される構成であってもよい。
【０２５５】
また、携帯通信装置６００は、電子チケットを購入した際に指定されたＷＥＢサイトにアクセスし、該ＷＥＢサイトから無線ＬＡＮ設定情報９２を取得してもよい。あるいは、電子チケット発行装置１００が、電子チケットの購入時に携帯通信装置６００からメールアドレスを取得し、該メールアドレスに対してメールの添付ファイルとして上記無線ＬＡＮ設定情報９２を送信する。そして携帯通信装置６００は、このメールを受信することで無線ＬＡＮ設定情報９２を取得してもよい。
【０２５６】
また、例えば、電子チケットとは別に、上記携帯通信装置６００は、基地局２０１を介して、電子チケット発行装置１００からＬＡＮの設定情報を取得する構成であってもよい。さらには、上記携帯通信装置６００は、購入した上記電子チケットによって映画館３００に入場する際に、基地局２０１を介して電子チケット発行装置１００から無線ＬＡＮ設定情報９２を取得してもよい。あるいは、上記携帯通信装置６００は、さらにＲＦＩＤ（Radio Frequency Identification）、赤外線、Bluetooth（登録商標）など、通信可能な距離が比較的短い他の無線部をさらに備え、映画館３００の上映会場３０４に入場する際に、この無線部によって、無線ＬＡＮ設定情報９２を取得してもよい。このように他の無線部によって無線ＬＡＮ設定情報９２を取得する場合、この無線部が取得した無線ＬＡＮ設定情報９２を主制御部４０に送信することで、無線ＬＡＮの設定を実現することができる。
【０２５７】
もしくは、ユーザが購入した上記電子チケットによって映画館３００の施設に入場する際に、無線ＬＡＮ設定情報９２が記録されたＱＲ（Quick Response）コード（登録商標）などの２次元コード、またはバーコードが印刷された用紙（チケットまたはレシート）を渡される。そして、このＱＲコード等から携帯通信装置６００が無線ＬＡＮ設定情報９２を取得してもよい。なお、このＱＲコード等から無線ＬＡＮ設定情報９２を取得する場合、携帯通信装置６００は、さらにＱＲコードの読取り機能を備え、読取った情報を主制御部４０に送信することで無線ＬＡＮの設定を実現することができる。
【０２５８】
また、上記用紙に記載された情報を携帯通信装置６００が備える操作部１４によって入力し、入力された情報が主制御部４０に送信されることで無線ＬＡＮの設定が実現される。
【０２５９】
なお、上述した機能管理システム５００では、携帯通信装置６００のユーザに対して、映画のチケット代の減額もしくは映画の映像または画像のデータを特典として提供する構成であった。
【０２６０】
しかしながら提供される特典はこれに限定されるものではなく、例えば以下のような特典であってもよい。
【０２６１】
すなわち、特典提供管理サーバ３０１は、上記した退場後の携帯通信装置６００に、映画館３００において上映される映画のチケット代の割引となるポイントなどを提供するものであってもよい。この場合は、特典提供管理サーバ３０１は、上記ポイントを示す情報と携帯通信装置６００を特定する情報とを電子チケット発行装置１００に送信する。一方、電子チケット発行装置１００は、特典提供管理サーバ３０１から受信した上記情報に基づき、ポイントを該携帯通信装置６００の情報と対応付けて記憶させる。このようにして、電子チケット発行装置１００が携帯通信装置６００と対応づけてポイントを記憶しておくことで、再度、携帯通信装置６００に電子チケットを発行する際、この対応付けられているポイント分を割り引いた値段で該電子チケットの発行を行うことができる。
【０２６２】
また、当該携帯通信装置６００が有する機能のうち少なくとも一部が制御された場合、もしくは該携帯通信装置６００における電源供給を停止させる場合、上記機能が制御された、または電源供給が停止された期間において携帯通信装置６００にかかってきた他の通信装置からの伝言メッセージに対する留守番電話サービスへの問合せに要する費用を映画館３００の運営者が肩代わりしてもよい。
【０２６３】
このように留守番電話サービスへの問合せにかかる費用の肩代わりを行う場合、電子チケット確認装置３０２による携帯通信装置６００の入場時間から退場時間までの間に携帯通信装置６００にかかってきた電話に対して行っても良いし、機能制限管理サーバ３０３が機能制限情報７０を携帯通信装置６００に送信し、当該携帯通信装置６００が有する少なくとも一部の機能が停止された期間に他の通信装置から携帯通信装置６００にかかってきた電話に対して行ってもよい。
【０２６４】
すなわち、前者の場合は、電子チケット確認装置３０２から受信した入退場情報９４に基づき、キャリア２００に対して、特典提供管理サーバ３０１は、携帯通信装置６００の上映会場３０４に入場していた期間をキャリア２００に通知する。そして、特典提供管理サーバ３０１は、キャリア２００に対して、この期間に他の通信装置からかかってきた電話に関する留守番電話サービスへの問合せにかかる料金を、携帯通信装置６００の通話代から引き落とすのではなく、映画館３００の運営者に請求するように指示することで実現できる。
【０２６５】
また、後者の場合は、以下のようにして実現できる。すなわち、機能制限管理サーバ３０３がＡＰ３０５を介して携帯通信装置６００に機能制限情報７０を送信する際、この機能制限情報７０を送信した旨を通知する情報を特典提供管理サーバ３０１に通知する。そして、特典提供管理サーバ３０１は、特典提供データベース３０６に記録された各携帯通信装置６００の入退場情報９４と、この機能制限管理サーバ３０３からの通知に応じて、当該携帯通信装置６００が有する機能のうち少なくとも一部が制御された期間と、該機能が制御された携帯通信装置６００を特定する情報をキャリア２００に送信する。そして、特典提供管理サーバ３０１は、この期間において他の通信装置からかかってきた電話によるメッセージを記録した、留守番電話サービスへの問合せにかかる料金を映画館３００の運営者に請求するように指示を出す。
【０２６６】
このようにして、上記特典として、機能が制御されている期間または電源供給を停止している期間、あるいは上映会場３０４に入場している期間における留守番電話サービスへの問合せのかかる費用を映画館３００の運営者が肩代わりしてもよい。
【０２６７】
また、キャリア２００は、上記した期間において携帯通信装置６００にかかってきた他の通信装置からの電話に対して、「現在映画鑑賞中のため電話をとることができないため改めてご連絡ください」といったメッセージを流すように構成されていることが好ましい。
【０２６８】
なお、上記特典提供管理サーバ３０１、機能制限管理サーバ３０３、電子チケット確認装置３０２、およびＡＰ３０５は、映画館３００に備えられているが、これら各装置が備えられる施設は映画館３００に限定されるものではない。すなわち、本実施の形態に係る機能管理システム５００は、例えば、博物館、美術館、地下鉄のホームまたはコンコース、病院など携帯通信装置６００が有する機能の少なくとも一部を制御もしくは、携帯通信装置６００における電源供給の停止が要求される施設であればいかなる施設であってもよい。
【０２６９】
また、本実施の形態に係る機能管理システム５００では、上記特典提供管理サーバ３０１が、映画館３００に備えられているが、特典提供管理サーバ３０１が備えられる場所はこれに限定されるものではなく、例えば基地局２０１に備えられていてもよい。あるいは、上記特典提供管理サーバ３０１は、電子チケット発行装置１００に備えられていてもよい。また、上記特典提供管理サーバ３０１は、通信ネットワーク４００と通信可能に接続されていれば単独で設けられていても良い。
【０２７０】
また、本実施の形態に係る機能管理システム５００では、基地局２０１が、監視制御部５２を備える構成であった。しかしながら、携帯通信装置６００において電源供給がなされている、すなわち主電源がＯＮの場合、該携帯通信装置６００から発信される電波を検知できる検知手段を備えている場合は、機能制限管理サーバ３０３がこの監視制御部５２をさらに備える構成であってもよいし、電子チケット確認装置３０２が備える構成であってもよい。さらには、特典提供管理サーバ３０１が、この監視制御部５２をさらに備える構成であってもよい。すなわち、通信ネットワーク４００を通じて、電源監視部５６によって上映会場３０４における携帯通信装置６００の主電源がＯＮになっているか否かを判定した結果を特典提供管理サーバ３０１に送信できるように構成されていれば機能管理システム５００においてどこに設けられていても良い。
【０２７１】
最後に、上記にて示した、電子チケット発行装置１００、特典提供管理サーバ３０１、電子チケット確認装置３０２、機能制限管理サーバ３０３、ＡＰ３０５、携帯通信装置６００、特典提供管理サーバ３０１、基地局２０１、特に基地局２０１における監視結果通知部５５、電源監視部５６、監視指示部５７、機能制限管理サーバ３０３の選択制御部６２、通信装置確認制御部７７、携帯通信装置６００の電子チケット管理部８１、情報抽出部８２、無線ＬＡＮ設定部８３、機能制限部８４、特典提供管理サーバ３０１の特典提供先判定部３０、特典要求通知部３１、特典提供先情報取得部３２は、ハードウェアロジックによって構成してもよいし、次のようにＣＰＵを用いてソフトウェアによって実現してもよい。
【０２７２】
すなわち、電子チケット発行装置１００、特典提供管理サーバ３０１、電子チケット確認装置３０２、機能制限管理サーバ３０３、ＡＰ３０５、携帯通信装置６００、特典提供管理サーバ３０１、基地局２０１は、各機能を実現する制御プログラムの命令を実行するＣＰＵ（central processing unit）、上記プログラムを格納した不図示のＲＯＭ（read only memory）、上記プログラムを展開する不図示のＲＡＭ（random access memory）、上記プログラムおよび各種データを格納するメモリ等の記憶装置（記録媒体）などを備えている。そして、本発明の目的は、上述した機能を実現するソフトウェアである電子チケット発行装置１００、特典提供管理サーバ３０１、電子チケット確認装置３０２、機能制限管理サーバ３０３、ＡＰ３０５、携帯通信装置６００、特典提供管理サーバ３０１、基地局２０１、特に基地局２０１における監視結果通知部５５、電源監視部（信号受信手段・受信判定手段）５６、監視指示部５７、機能制限管理サーバ３０３の選択制御部６２、通信装置確認制御部７７、携帯通信装置６００の電子チケット管理部８１、情報抽出部８２、無線ＬＡＮ設定部８３、機能制限部８４、特典提供管理サーバ３０１の特典提供先判定部３０、特典要求通知部３１、特典提供先情報取得部３２の制御プログラムのプログラムコード（実行形式プログラム、中間コードプログラム、ソースプログラム）をコンピュータで読み取り可能に記録した記録媒体を、電子チケット発行装置１００、特典提供管理サーバ３０１、電子チケット確認装置３０２、機能制限管理サーバ３０３、ＡＰ３０５、携帯通信装置６００、特典提供管理サーバ３０１、基地局２０１に供給し、そのコンピュータ（またはＣＰＵやＭＰＵ）が記録媒体に記録されているプログラムコードを読み出し実行することによっても、達成可能である。
【０２７３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２７４】
また、電子チケット発行装置１００、特典提供管理サーバ３０１、電子チケット確認装置３０２、機能制限管理サーバ３０３、ＡＰ３０５、携帯通信装置６００、特典提供管理サーバ３０１、基地局２０１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２７５】
以上のように、本発明に係る機能管理システム（例えば機能管理システム５００）は、通信装置（例えば携帯通信装置６００）と、上記通信装置が有する機能のうち少なくとも一部の機能を制御させる機能制御装置（例えば、機能制限管理サーバ３０３）と、上記機能制御装置によって制御された通信装置を特典の提供先として管理する管理装置（特典提供管理サーバ３０１）とを備える。
【０２７６】
上記構成によると、本発明に係る機能管理システムは、機能制限装置を備えているため、通信装置が有する機能のうち少なくとも一部を制御することができる。このため、上記機能管理システムは、通信装置が有する機能に起因して生じる周囲への悪影響を防ぐことができる。また、上記機能管理システムは、上記管理装置を備えているため、機能が制御された通信装置に対して特典を提供することができる。
【０２７７】
したがって、上記機能管理システムでは通信装置が有する機能が制御される代わりに、特典を与えることができるため、通信装置の所有者は、該通信装置が有する機能が制限されることによって被る不利益に対する代償を得ることができる。このため、本発明に係る機能管理システムは、通信装置の機能のうち少なくとも一部が制御されることに対するユーザの抵抗感を抑えることができるという効果を奏する。
【０２７８】
また、本発明に係る機能管理システムは、上記した構成において、上記機能制御装置は、通信装置が有する機能のうち少なくとも一部の機能を制御させる指示情報（例えば、機能制限情報７０）を、該通信装置に送信しており、上記通信装置は、上記機能制御装置から送信される指示情報に基づき、当該通信装置が有する機能を制御するように構成されていてもよい。
【０２７９】
上記構成によると、上記通信装置は、機能制御装置から送信された指示情報に基づき、当該通信装置が有する機能のうち少なくとも一部の機能を制御することができる。このため、通信装置が有する機能の制御が求められている場所に上記機能制御装置を備え、機能の制御が求められる期間に上記指示情報を通信装置に送信させることで、適切な場所で適切な期間に通信装置が有する機能のうち少なくとも一部を制御することができる。
【０２８０】
また、本発明に係る機能管理システムは、上記した構成において、上記機能制御装置は、該機能制御装置と通信装置との通信を中継する中継装置（例えばＡＰ３０５）を介して上記指示情報を送信しており、上記通信装置が上記中継装置と接続を確立した場合、上記機能制御装置から送信される指示情報に基づき、当該通信装置が備える機能を制御するように構成されていてもよい。
【０２８１】
上記機能制御装置は、中継装置を介して指示情報を送信しているため、該中継装置が備えられている場所に応じて適切な指示情報を送信することによって、上記場所に応じて適切に通信装置が有する機能を制御することができる。
【０２８２】
また、本発明に係る機能管理システムは、上記した構成において、上記通信装置が上記中継装置と接続を確立した場合、上記機能制御装置は、該通信装置が当該中継装置を介してのみ通信可能となるよう指示する上記指示情報を送信するように構成されていることが好ましい。
【０２８３】
このように、通信装置が中継装置と接続を確立した場合、当該中継装置を介してのみ通信が可能となるように機能制御装置が指示情報を送信するため、通信装置が有する機能は、機能制限装置からの指示情報に応じて機能が制御されることとなる。
【０２８４】
したがって、本発明に係る機能管理システムは、当該通信装置が有する機能を確実に制御することができる。
【０２８５】
また、本発明に係る機能管理システムは、上記した構成において、上記機能制御装置は、上記中継装置を介して上記通信装置に対して、当該通信装置が有している機能のうち停止されている機能を再開することを指示する指示情報を送信するように構成されていてもよい。
【０２８６】
また、本発明に係る機能管理システムは、上記した構成において、上記機能制御装置が、上記指示情報を記憶する指示情報記憶装置（例えば、記憶部６４）と、上記指示情報記憶装置に記憶された指示情報の中から上記中継装置に送信すべき指示情報を選択する選択手段（例えば、選択制御部６２）とを備えるように構成されていてもよい。
【０２８７】
上記機能制御装置が上記選択手段を備えているため、適切な指示情報を選択して通信装置に送信することができる。したがって、通信装置が有する機能を適切に制御することができる。
【０２８８】
また、本発明に係る機能管理システムは、上記した構成において、上記選択手段が、選択する指示情報を時間に応じて変更するように構成されていてもよい。
【０２８９】
また、本発明に係る機能管理システムは、上記した構成において、上記中継装置と上記通信装置とが接続を確立した場合、上記通信装置は、当該通信装置を特定するための識別情報（例えば、通信装置識別情報７３）を上記中継装置を介して上記機能制御装置に送信しており、上記機能制御装置は、上記通信装置から送信された識別情報に基づき、上記中継装置と接続を確立した通信装置を特定する特定手段（例えば、通信装置確認制御部７７）とを備え、上記管理装置が、上記特定手段によって特定された通信装置を示す識別情報に基づき、特典の提供先として管理する通信装置を決定するように構成されていてもよい。
【０２９０】
上記構成によると、本発明に係る機能管理システムは、機能制限装置が特定手段を備えているため、上記中継装置と接続を確立した通信装置を特定することができる。また、機能制限装置は、上記中継装置を介して通信装置に指示情報を送信し、当該通信装置が有すう機能のうち少なくとも一部を制御することができるように構成されている。
【０２９１】
したがって、上記管理装置は、当該通信装置が有する機能が制御された通信装置を特定することができる。
【０２９２】
また、本発明に係る機能管理システムは、上記した構成において、上記機能制御装置が備えられた場所への、上記通信装置の入場を示す入場情報（例えば、入退場情報９４）を上記管理装置に通知する入場通知装置（例えば、電子チケット確認装置３０２）をさらに備え、上記管理装置が上記入場通知装置によって通知された入場情報に基づき、特典の提供先として管理する通信装置を決定するように構成されていることが好ましい。
【０２９３】
上記構成によると、本発明に係る機能管理システムは、さらに上記入場通知装置を備えているため、機能制御装置が備えられている場所に通信装置が入場したか否かを知ることができる。
【０２９４】
ところで、機能制御装置が備えられている場所に入場した通信装置は、該機能制御装置から送信される指示情報に応じて、当該通信装置が有する機能の少なくとも一部が制御される。このため、機能制御装置が備えられている場所への入場の確認がとれた通信装置は、該機能制御装置によって当該通信装置が備える機能のうち少なくとも一部が制御されているということが分かる。
【０２９５】
したがって、上記管理装置は、当該通信装置が有する機能のうち少なくとも一部が制御された通信装置を、特典の提供先として決定し管理することができる。
【０２９６】
よって、本発明に係る機能管理システムは、当該携帯通信装置が有する機能のうち少なくとも一部が制御された通信装置に対して特典を提供することができる。
【０２９７】
また、本発明に係る機能管理システムは、上記した構成において、上記機能制御装置が備えられた場所からの、上記通信装置の退場を示す退場情報（例えば、入退場情報９４）を上記管理装置に通知する退場通知装置（例えば、電子チケット確認装置３０２）をさらに備え、上記管理装置が上記退場通知装置によって通知された退場情報と上記入場情報とに基づき、特典の提供先として管理する通信装置を決定するように構成されていてもよい。
【０２９８】
上記構成によると、本発明に係る機能管理システムは、さらに上記退場通知装置を備えているため、管理装置は、機能制御装置が備えられている場所から通信装置が退場したか否かを知ることができる。
【０２９９】
このため、上記管理装置は、機能制御装置が備えられた場所への通信装置の入退場の確認が取れた通信装置を、特典の提供先として決定し管理することができる。
【０３００】
したがって、上記機能管理システムは、機能制御装置から上記指示情報が送信された期間に、機能制御装置が備えられた場所に存在した通信装置に対してのみ特典を提供することができる。
【０３０１】
また、本発明に係る機能管理システムは、上記した構成において、上記機能制御装置が備えられた場所への入場を許可するチケット情報を含む電子チケットを上記通信装置に送信する電子チケット発行装置（例えば、電子チケット発行装置１００）をさらに備え、上記入場通知装置が、通信装置が保持するチケット情報に基づき、通信装置の入場の確認を示す入場情報を上記管理装置に通知するように構成されていてもよい。
【０３０２】
上記構成によると、本発明に係る機能管理システムは、上記電子チケット発行装置を備えているため、通信装置の所有者は、通信装置によって電子チケットを取得することができる。また、入場通知装置が、通信装置が保持するチケット情報に基づき入場情報を管理装置に通知することができる。このため、入場通知装置は、確実に通信装置の入場情報を管理装置に通知することができ、この管理装置は入場した通信装置を確実に管理することができる。よって、本発明に係る機能管理システムでは、上記機能制限装置が備えられた場所に入場した通信装置を確実に管理することができるため、当該通信装置が有する機能のうち少なくとも一部が制御された通信装置を確実に管理することができる。
【０３０３】
よって、本発明に係る機能管理システムは、確実に、当該通信装置が有する機能のうち少なくとも一部が制御された通信装置に対して特典を提供することができる。
【０３０４】
また、本発明に係る機能管理システムは、上記した構成において、上記機能制御装置が備えられた場所への入場を許可するチケット情報を含む電子チケットを上記通信装置に送信する電子チケット発行装置（例えば、電子チケット発行装置１００）をさらに備え、上記退場通知装置が、通信装置が保持するチケット情報に基づき、通信装置の退場の確認を示す退場情報を上記管理装置に通知するように構成されていてもよい。
【０３０５】
上記構成によると、本発明に係る機能管理システムは、上記電子チケット発行装置を備えているため、通信装置の所有者は、通信装置によって電子チケットを取得することができる。また、退場通知装置が、通信装置が保持するチケット情報に基づき退場情報を管理装置に通知することができる。このため、退場通知装置は、確実に通信装置の退場情報を管理装置に通知することができ、この管理装置は退場した通信装置を確実に管理することができる。よって、本発明に係る機能管理システムでは、上記機能制限装置が備えられた場所に入場し退場した通信装置を確実に管理することができるため、当該通信装置が有する機能のうち少なくとも一部が制御された通信装置を確実に管理することができる。
【０３０６】
よって、本発明に係る機能管理システムは、確実に、当該通信装置が有する機能のうち少なくとも一部が制御された通信装置に対して特典を提供することができる。
【０３０７】
また、本発明に係る機能管理システムは、上記した構成において、上記入場通知装置が、通信装置が保持するチケット情報に基づき、通信装置の入場の確認を示す入場情報を上記管理装置に通知するように構成されていることが好ましい。
【０３０８】
上記構成によると、入場通知装置は、確実に通信装置の入場情報を管理装置に通知することができ、この管理装置は入場した通信装置を確実に管理することができる。よって、本発明に係る機能管理システムでは、上記機能制限装置が備えられた場所に入場した通信装置を確実に管理することができるため、当該通信装置が有する機能のうち少なくとも一部が制御された通信装置を確実に管理することができる。
【０３０９】
よって、本発明に係る機能管理システムは、確実に、当該通信装置が有する機能のうち少なくとも一部が制御された通信装置に対して特典を提供することができる。
【０３１０】
また、本発明に係る機能管理システムは、上記した構成において、上記機能制御装置から通信装置に送信される指示情報（例えば、機能制限情報７０）が、当該通信装置における電源供給を停止させることを指示する情報であり、上記通信装置の電源供給の停止状態を監視し、この監視結果を示す電源状態情報を上記管理装置に通知する電源状態監視装置（例えば、基地局２０１）をさらに備え、上記管理装置が、上記入場情報および上記電源状態情報に基づき、特典の提供先として管理する通信装置を決定するように構成されていることが好ましい。
【０３１１】
上記構成によると、上記指示情報が通信装置における電源供給を停止させることを指示する情報であるため、機能制御装置が備えられた場所では、この指示情報に基づき通信装置は、自装置の電源供給を停止する。このため、上記機能管理システムは、通信装置が有する機能に起因して生じる周囲への悪影響を防ぐことができる。
【０３１２】
また、本発明に係る機能管理システムは、さらに電源状態監視装置を備えているため、機能制御装置から送信された指示情報に基づき、確実に通信装置の電源供給が停止されているか否かを確認することができる。
【０３１３】
また、上記管理装置は、上記入場情報および上記電源状態情報に基づき、特典の提供先として管理する通信装置を決定する。このため、管理装置は、確実に電源供給が停止されている通信装置のみを特典の提供先として管理することができる。すなわち、機能制御装置から送信された指示情報によって指示されたにも関わらず電源供給を停止していない通信装置を特典の提供先として除外することができる。
【０３１４】
したがって、本発明に係る機能管理システムは、機能制御装置から送信された指示情報に基づき、確実に自装置の電源供給を停止した通信装置に対して特典を提供することができる。
【０３１５】
また、本発明に係る機能管理システムは、上記した構成において、上記機能制御装置から通信装置に送信される指示情報が、当該通信装置における電源供給を停止させることを指示する情報であり、上記通信装置の電源供給の停止状態を監視し、この監視結果を示す電源状態情報を上記管理装置に通知する電源状態監視装置をさらに備え、上記管理装置が、上記入場情報、上記退場情報および上記電源状態情報に基づき、特典の提供先として管理する通信装置を決定するように構成されていてもよい。
【０３１６】
上記構成によると、上記管理装置は、上記入場情報、上記退場情報、および上記電源状態情報に基づき、特典の提供先として管理する通信装置を決定する。このため、管理装置は、確実に電源供給が停止されている通信装置のみを特典の提供先として管理することができる。すなわち、機能制御装置から送信された指示情報によって指示されたにも関わらず電源供給を停止していない通信装置を特典の提供先として除外することができる。
【０３１７】
したがって、本発明に係る機能管理システムは、機能制御装置から送信された指示情報に基づき、確実に自装置の電源供給を停止した通信装置に対して特典を提供することができる。
【０３１８】
また、本発明に係る機能管理システム（例えば、機能管理システム５００）は、以上のように、通信装置（例えば、携帯通信装置６００）と、上記通信装置の電源供給を停止させるように制御する機能制御装置（例えば、機能制限管理サーバ３０３）と、上記機能制御装置によって制御された通信装置を特典の提供先として管理する管理装置（例えば、特典提供管理サーバ３０１）と、上記通信装置の電源供給の停止状態を監視し、この監視結果を示す電源状態情報を上記管理装置に通知する電源状態監視装置（例えば、基地局２０１）とを備え、上記管理装置が、上記電源状態情報に基づき、特典の提供先として管理する通信装置を決定するように構成されている。
【０３１９】
本発明に係る機能管理システムは、機能制御装置を備えているため、通信装置は該機能制御装置によって自装置の電源供給を停止させることができる。このため、上記機能管理システムは、通信装置が有する機能に起因して生じる周囲への悪影響を防ぐことができる。また、上記機能管理システムは、上記電源状態監視装置を備えているため、上記通信装置が電源供給の停止を確実に行っているか確認することができる。
【０３２０】
また、上記管理装置を備えているため、当該通信装置において、電源の供給を確実に停止した通信装置に対して特典を提供することができる。
【０３２１】
したがって、本発明に係る機能管理システムは、当該通信装置において、電源の供給を確実に停止した通信装置に対して特典を提供することができるため、通信装置の所有者は、該通信装置において電源の供給を停止させることによって被る不利益に対する代償を得ることができる。このため、本発明に係る機能管理システムは、当該通信装置において電源の供給を停止させることに対するユーザの抵抗感を抑えることができるという効果を奏する。
【０３２２】
また、本発明に係る機能管理システムは、上記した構成において、上記電源状態情報に基づき、罰則の対象として管理する通信装置を決定するように構成されていてもよい。
【０３２３】
また、本発明に係る機能管理システムは、上記した構成において、上記特典が、当該通信装置が有する機能のうち少なくとも一部が制御されることに対する金銭による補填であることが好ましい。なお、この金銭による補填とは、例えば当該通信装置が有する機能が制御された場所への入場が有料である場合は、この入場料の減額、一定の金額の返金、次回の入場料の割引を示すポイントなどである。
【０３２４】
また、本発明に係る機能管理システムは、上記した構成において、上記特典が、当該通信装置が有する機能のうち少なくとも一部が制御されている期間において生じる事象に対する補填であってもよい。
【０３２５】
なお、上記当該通信装置が有する機能のうち少なくとも一部が制御されている期間において生じる事象に対する補填とは、例えば、通信装置が有する通話機能が停止されている場合、この停止されている期間における留守番電話サービスへの問合せに対して生じる料金の補填、または、この停止されている間に電話がかかってきた相手に対して、当該通信装置が有する機能が制御されているため、再度電話をかけなおして欲しい旨通知するサービスなどが含まれる。
【０３２６】
また、本発明に係る機能管理システムは、上記した構成において、上記特典が、当該通信装置が有する機能のうち少なくとも一部が制御されることに対して提供されるコンテンツであってもよい。
【０３２７】
また、本発明に係る機能管理システムにおいて、上記機能制御装置が上記通信装置が有する機能のうち少なくとも一部の機能を制御するとは、該通信装置が有する機能を制限することであってもよい。
【０３２８】
なお、上記機能を制御するとは、当該通信装置が有する機能の少なくも一部を起動させたり、停止させたりすることである。一方、制限するとは、ある条件下において上記機能を起動可能または不可能な状態にさせたり、上記機能の一部のみが起動可能とさせたりすることである。
【０３２９】
また、本発明に係る管理装置は、上記した課題を解決するために、上記した機能管理システムを構成する。
【０３３０】
また、本発明に係る機能制御装置は、上記した課題を解決するために、上記した機能管理システムを構成する。
【０３３１】
また、本発明に係る通信装置は、上記した課題を解決するために、上記した機能管理システムを構成する。
【０３３２】
また、本発明に係る入場通知装置は、上記した課題を解決するために、上記した機能管理システムを構成する。
【０３３３】
また、本発明に係る退場通知装置は、上記した課題を解決するために、上記した機能管理システムを構成する。
【０３３４】
また、本発明に係る電源状態監視装置は、上記した課題を解決するために、上記した機能管理システムを構成する。
【０３３５】
また、本発明に係る管理装置（例えば、特典提供管理サーバ３０１）は、以上のように、通信装置（例えば、携帯通信装置６００）の有する機能のうち少なくとも一部を制御する機能制御装置（例えば、機能制限管理サーバ３０３）が備えられた場所に、該通信装置が入場したことを示す入場情報を取得する情報取得手段（例えば、特典提供先情報取得部３２）と、上記情報取得手段によって取得された入場情報に基づき、特典の提供先としての通信装置を決定する決定手段（例えば、特典提供先判定部３０）とを備えている。
【０３３６】
上記構成によると、本発明に係る管理装置は、情報取得手段を備えているため、上記機能制御装置が備えられている場所への通信装置の入場を確認することができる。すなわち、上記管理装置は、当該通信装置が有する機能のうち少なくとも一部の機能が制御される通信装置を確認することができる。
【０３３７】
したがって、管理装置は、決定手段によって、当該通信装置が有する機能のうち少なくとも一部の機能が制御された通信装置を特典の提供先として決定し管理しておくことができるという効果を奏する。
【０３３８】
また、本発明に係る管理装置は、上記した構成において、上記情報取得手段は、上記機能制御装置が備えられた場所から該通信装置が退場したことを示す退場情報をさらに取得しており、上記決定手段が、上記入場情報および上記退場情報に基づき、特典の提供先としての通信装置を決定するように構成されていることが好ましい。
【０３３９】
上記構成によると、本発明に係る管理装置は、上記入場情報および上記退場情報に基づき、特典の提供先としての通信装置を決定することができる。このため、上記管理装置は、上記機能制御装置によって当該通信装置が有する機能のうち少なくとも一部の機能が制御された通信装置を特典の提供先として決定することができる。
【０３４０】
また、本発明に係る管理装置は、上記した構成において、上記決定手段によって決定された通信装置に対して上記特典を提供するように指示する特典提供指示手段（例えば、特典要求通知部３１）をさらに備えていることが好ましい。
【０３４１】
上記構成によると、本発明に係る管理装置は、情報取得手段を備えているため、上記機能制御装置が備えられている場所への通信装置の入場および／または退場を確認することができる。すなわち、上記管理装置は、当該通信装置が有する機能のうち少なくとも一部の機能が制御される通信装置を確認することができる。
【０３４２】
このため、管理装置は、決定手段によって、当該通信装置が有する機能のうち少なくとも一部の機能が制御された通信装置を特典の提供先として決定し管理することができる。
【０３４３】
また、管理装置は、特典提供指示手段を備えているため上記決定手段によって決定された通信装置に特典を提供するように指示することができる。
【０３４４】
したがって、本発明に係る管理装置は、当該通信装置が有する機能のうち少なくとも一部の機能が制御された通信装置に特典を提供することができる。
【０３４５】
また、本発明に係る管理装置は、上記した構成において、上記機能制御装置が通信装置に対して当該通信装置における電源供給を停止するように指示しており、上記情報取得手段が、上記場所において所定期間、通信装置の電源供給が停止されたままであるのか否かについて監視した結果である監視情報をさらに取得し、上記決定手段が、上記入場情報および上記監視情報に基づき、特典の提供先としての通信装置を決定するように構成されていることが好ましい。
【０３４６】
上記構成によると、本発明に係る管理装置は、入場情報および監視情報に基づき、特典の提供先としての通信装置を決定する。このため、上記機能制御装置からの指示に応じて当該通信装置における電源供給が確実に停止された通信装置を、特典の提供先として通信装置を決定することができる。
【０３４７】
したがって、本発明に係る管理装置は、当該通信装置における電源供給が確実に停止された通信装置に特典を提供することができる。
【０３４８】
また、本発明に係る電源状態監視装置（例えば、基地局２０１）は、以上のように、当該通信装置において電源が供給されている場合、自装置の位置を示すための信号を発信する通信装置（例えば、携帯通信装置６００）から、上記信号を受信する信号受信手段（例えば、基地局通信制御部５１および電源監視部５６）と、上記通信装置に対して、当該通信装置における電源供給の停止が求められている通信装置から上記信号の受信があったか否かを判定する受信判定手段（例えば、電源監視部５６）とを備えている。
【０３４９】
上記構成によると、信号受信手段を備えているため、通信装置において電源が供給されている場合、当該通信装置から上記信号を受信することができる。また、受信判定手段を備えているため、本発明に係る電源状態監視装置は、通信装置において電源が供給されているか否かを判定することができる。
【０３５０】
したがって、上記電源状態監視装置は、当該通信装置において電源供給の停止が求められている通信装置が実際に該電源供給の停止を行っているか否かを監視することができるという効果を奏する。
【０３５１】
また、本発明に係る電源状態監視装置は、上記した構成において、上記通信装置の電源供給の停止が求められている場所を示す情報を含む監視情報（例えば、通信装置監視情報２０２）を記憶する記憶装置（例えば、キャリア情報格納部５３）と、上記記憶装置に記憶された監視情報に基づき、通信装置の電源供給の停止が求められている場所を上記受信判定手段に指示する監視指示手段（例えば、監視指示部５７）とを備え、上記受信判定手段が、上記監視指示手段からの指示に基づき、通信装置の電源供給の停止が求められている場所にある通信装置から上記信号の受信があったか否かを判定するように構成されていることが好ましい。
【０３５２】
本発明に係る電源状態監視装置では、監視指示手段が受信判定手段に通信装置の電源供給の停止が求められている場所を指示することができる。このため、この受信判定手段は、通信装置の電源供給の停止が求められている場所を指定して通信装置から上記信号の受信があったか否かを判定することができる。
【０３５３】
したがって、上記電源状態監視装置は、当該通信装置の電源供給の停止が求められている場所において、該通信装置が実際に自装置における電源供給の停止を行っているか否かを監視することができる。
【０３５４】
また、本発明に係る電源状態監視装置は、上記した構成において、上記監視情報にはさらに、通信装置の電源供給の停止が求められている期間を示す情報が含まれており、上記監視指示手段が、上記記憶装置に記憶された監視情報に基づき、通信装置の電源供給の停止が求められている場所および期間を上記受信判定手段に指示するように構成されていてもよい。
【０３５５】
本発明に係る電源状態監視装置では、上記監視指示手段が受信判定手段に通信装置の電源供給の停止が求められている場所および期間を指示することができる。このため、この受信判定手段は、通信装置の電源供給の停止が求められている場所および期間を指定して通信装置から上記信号の受信があったか否かを判定することができる。
【０３５６】
したがって、上記電源状態監視装置は、当該通信装置の電源供給の停止が求められている場所および期間において、該通信装置が実際に自装置における電源供給の停止を行っているか否かを監視することができる。
【０３５７】
なお、上記管理装置、機能制御装置、通信装置、入場通知装置、退場通知装置、および電源状態監視装置は、コンピュータによって実現してもよく、この場合には、コンピュータを上記各手段として動作させることにより上記印刷装置をコンピュータにて実現させる印刷装置の制御プログラムを記録したコンピュータ読取り可能な記録媒体も、本発明の範疇に入る。
【０３５８】
また、本発明に係る機能管理システムは、上記した構成において、上記通信装置は、上記機能制御装置から送信される指示情報の内容を表示する表示手段（例えば、表示部１２）を備えていることが好ましい。
【０３５９】
通信装置が表示手段を備えているため、該通信装置を所持するユーザは、機能制御装置から送信された指示情報の内容を確認することができる。
【０３６０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０３６１】
本発明の機能管理システムは、通信装置が備える機能が制限された場合、この機能が制限された通信装置を特典の提供先として適切に管理することができるため、通信装置の使用を制限したい施設やイベント等の会場において広く適用可能であり、特に、病院、交通機関、映画館、コンサート会場等における、通信装置が有する機能に対して制限を行うシステムとして好適である。
【図面の簡単な説明】
【０３６２】
【図１】本発明の一実施の形態である機能管理システムの構成を示す説明図である。
【図２】本発明の一実施の形態である機能管理システムを構成する携帯通信装置のハードウェア構成を示すブロック図である。
【図３】本発明の一実施の形態である機能管理システムを構成する携帯通信装置の主制御部の機能制限に関わる詳細を示すブロック図である。
【図４】電子チケットに含まれる情報の一例を示す図である。
【図５】本発明の一実施の形態である機能管理システムを構成する機能制限管理サーバから送信される機能制限情報のデータの一例を示す説明図である。
【図６】本発明の一実施の形態である機能管理システムを構成する機能制限管理サーバから送信される機能制限情報のデータの一例を示す説明図である。
【図７】本発明の一実施の形態である機能管理システムを構成する機能制限管理サーバの概略構成を示すブロック図である。
【図８】機能制限情報管理テーブルのデータ構造は一例を示す説明図である。
【図９】本発明の一実施の形態である機能管理システムを構成する特典提供管理サーバにおいて、特典提供先としての携帯通信装置の管理に関わる詳細を示す機能ブロック図である。
【図１０】特典提供データベースに含まれる各データの一例を示す説明図である。
【図１１】特典提供先としての携帯通信装置を管理する管理処理にかかる処理の流れを説明するフローチャートである。
【図１２】本発明の別の一実施の形態である機能管理システムの構成を示す説明図である。
【図１３】通信装置監視情報のデータ構造の一例を示す図である。
【図１４】特典提供データベースに記録されるデータの一例を示す図である。
【図１５】携帯通信装置の主電源の状態を監視する処理にかかる基地局のソフトウェア構成を示すブロック図である。
【図１６】特典提供先としての携帯通信装置を管理する本発明の別の実施例としての管理処理にかかる処理の流れを説明するフローチャートである。
【図１７】本発明の別の一実施の形態である機能管理システムの構成を示す説明図である。
【図１８】本発明の別の実施の形態である機能管理システムを構成する機能制限管理サーバの概略構成を示すブロック図である。
【図１９】特典提供先としての携帯通信装置を管理する本発明の別の実施例としての管理処理にかかる処理の流れを説明するフローチャートである。
【図１】
0004739216.tif 000002
【図２】
0004739216.tif 000003
【図３】
0004739216.tif 000004
【図４】
0004739216.tif 000005
【図５】
0004739216.tif 000006
【図６】
0004739216.tif 000007
【図７】
0004739216.tif 000008
【図８】
0004739216.tif 000009
【図９】
0004739216.tif 000010
【図１０】
0004739216.tif 000011
【図１１】
0004739216.tif 000012
【図１２】
0004739216.tif 000013
【図１３】
0004739216.tif 000014
【図１４】
0004739216.tif 000015
【図１５】
0004739216.tif 000016
【図１６】
0004739216.tif 000017
【図１７】
0004739216.tif 000018
【図１８】
0004739216.tif 000019
【図１９】
0004739216.tif 000020